(57)【特許請求の範囲】
【請求項１】
少なくとも映像データを含んで放送される複数の番組の放送日時の情報と前記映像データの解像度の情報とが含まれる番組情報を取得する番組情報取得部と、
前記映像データの解像度の情報と、前記番組の前記映像データに応じた画像を視聴するための放送受信装置が表示可能な映像データの解像度の情報とに基づいて、該放送受信装置が表示可能な映像データの解像度より前記映像データの解像度が高いことによって視聴することができないと判定した第１の番組と、該放送受信装置が表示可能な映像データの解像度より前記映像データの解像度が高くないことによって視聴することができると判定した第２の番組とを識別可能とした電子番組表を生成する番組表生成部と、
を備える番組表提供装置。
【請求項２】
少なくとも映像データを含んで放送される複数の番組の放送日時の情報、前記映像データの解像度の情報、及び前記映像データに対する解像度変換を許可するか否かを表す解像度変換可否の情報が含まれる番組情報を取得する番組情報取得部と、
前記映像データの解像度の情報、前記映像データに対する解像度変換可否の情報、及び前記番組の前記映像データに応じた画像を視聴するための放送受信装置が表示可能な映像データの解像度の情報に基づいて、該放送受信装置が表示可能な映像データの解像度より前記映像データの解像度が高い場合に、該放送受信装置が表示可能な映像データの解像度へ前記映像データの解像度を変換することが許可されないことによって視聴することができないと判定した第１の番組と、該放送受信装置が表示可能な映像データの解像度へ前記映像データの解像度を変換することが許可されることによって、または該放送受信装置が表示可能な映像データの解像度より前記映像データの解像度が高くないことによって、視聴することができると判定した第２の番組とを識別可能とした電子番組表を生成する番組表生成部と、
を備える番組表提供装置。
【請求項３】
前記番組情報取得部は、
前記映像データに対する解像度変換を許可するか否かを表す解像度変換可否の情報がさらに含まれる前記番組情報を取得し、
前記番組表生成部は、
前記解像度変換可否の情報に基づいて、前記第１の番組の内、前記映像データに対する解像度変換が許可されていない第３の番組を判定し、該判定した前記第３の番組が表される前記電子番組表内の第３の領域に、前記映像データに対する解像度変換が許可されていない番組であることを示した前記電子番組表を生成する、
請求項１に記載の番組表提供装置。
【請求項４】
前記番組表生成部は、
前記映像データに対する解像度変換が許可されていると判定した前記第１の番組が表される前記電子番組表内の第１の領域の表示と、前記第３の領域の表示とを異なる表示にする、
請求項３に記載の番組表提供装置。
【請求項５】
前記番組情報取得部は、
前記番組情報を、前記番組を受信する経路と異なる経路で取得する、
請求項１から請求項４のいずれか１の項に記載の番組表提供装置。
【請求項６】
前記番組表生成部は、
生成した前記電子番組表のデータを、前記番組を受信する経路と異なる経路で、前記電子番組表を表示する表示部に提供する、
請求項５に記載の番組表提供装置。
【請求項７】
前記番組表生成部は、
生成した前記電子番組表のデータを、前記番組を受信する経路と同じ経路で、前記電子番組表を表示する表示部に提供する、
請求項５に記載の番組表提供装置。
【請求項８】
前記番組表生成部は、
前記第１の番組が表される前記電子番組表内の第１の領域に、視聴することができない番組であることを示した前記電子番組表を生成する、
請求項６または請求項７に記載の番組表提供装置。
【請求項９】
前記番組表生成部は、
前記第１の領域の表示と、前記第２の番組が表される前記電子番組表内の第２の領域の表示とを異なる表示にした前記電子番組表を生成する、
請求項８に記載の番組表提供装置。
【請求項１０】
前記番組表生成部は、
前記第１の領域の色を、前記第２の領域の色と異なる色で表した前記電子番組表を生成する、
請求項９に記載の番組表提供装置。
【請求項１１】
前記番組表生成部は、
前記第１の領域内に、該第１の領域に配列される前記番組に対応する前記番組情報に含まれる情報を表示しない前記電子番組表を生成する、
請求項９または請求項１０に記載の番組表提供装置。
【請求項１２】
前記番組表生成部は、
前記第１の領域内に、視聴することができない番組であること明示するためのメッセージを表示した前記電子番組表を生成する、
請求項９から請求項１１のいずれか１の項に記載の番組表提供装置。
【請求項１３】
前記番組を受信する経路は、
放送電波によって前記番組を放送する放送網であり、
前記番組を受信する経路と異なる経路は、
前記放送電波の前記放送網と異なるネットワーク通信網である、
請求項３から請求項１２のいずれか１の項に記載の番組表提供装置。
【請求項１４】
少なくとも映像データを含んで放送される複数の番組の放送日時の情報と前記映像データの解像度の情報とが含まれる番組情報を取得する番組情報取得ステップと、
前記映像データの解像度の情報と、前記番組の前記映像データに応じた画像を視聴するための放送受信装置が表示可能な映像データの解像度の情報とに基づいて、該放送受信装置が表示可能な映像データの解像度より前記映像データの解像度が高いことによって視聴することができないと判定した第１の番組と、該放送受信装置が表示可能な映像データの解像度より前記映像データの解像度が高くないことによって視聴することができると判定した第２の番組とを識別可能とした電子番組表を生成する番組表生成ステップと、
を含む番組表提供方法。
【請求項１５】
少なくとも映像データを含んで放送される複数の番組の放送日時の情報、前記映像データの解像度の情報、及び前記映像データに対する解像度変換を許可するか否かを表す解像度変換可否の情報が含まれる番組情報を取得する番組情報取得ステップと、
前記映像データの解像度の情報、前記映像データに対する解像度変換可否の情報、及び前記番組の前記映像データに応じた画像を視聴するための放送受信装置が表示可能な映像データの解像度の情報に基づいて、該放送受信装置が表示可能な映像データの解像度より前記映像データの解像度が高い場合に、該放送受信装置が表示可能な映像データの解像度へ前記映像データの解像度を変換することが許可されないことによって視聴することができないと判定した第１の番組と、該放送受信装置が表示可能な映像データの解像度へ前記映像データの解像度を変換することが許可されることによって、または該放送受信装置が表示可能な映像データの解像度より前記映像データの解像度が高くないことによって、視聴することができると判定した第２の番組とを識別可能とした電子番組表を生成する番組表生成ステップと、
を含む番組表提供方法。
【請求項１６】
少なくとも映像データを含んで放送される複数の番組の放送日時の情報と前記映像データの解像度の情報とが含まれる番組情報を取得する番組情報取得ステップと、
前記映像データの解像度の情報と、前記番組の前記映像データに応じた画像を視聴するための放送受信装置が表示可能な映像データの解像度の情報とに基づいて、該放送受信装置が表示可能な映像データの解像度より前記映像データの解像度が高いことによって視聴することができないと判定した第１の番組と、該放送受信装置が表示可能な映像データの解像度より前記映像データの解像度が高くないことによって視聴することができると判定した第２の番組とを識別可能とした電子番組表を生成する番組表生成ステップと、
をコンピュータに実行させるプログラム。
【請求項１７】
少なくとも映像データを含んで放送される複数の番組の放送日時の情報、前記映像データの解像度の情報、及び前記映像データに対する解像度変換を許可するか否かを表す解像度変換可否の情報が含まれる番組情報を取得する番組情報取得ステップと、
前記映像データの解像度の情報、前記映像データに対する解像度変換可否の情報、及び前記番組の前記映像データに応じた画像を視聴するための放送受信装置が表示可能な映像データの解像度の情報に基づいて、該放送受信装置が表示可能な映像データの解像度より前記映像データの解像度が高い場合に、該放送受信装置が表示可能な映像データの解像度へ前記映像データの解像度を変換することが許可されないことによって視聴することができないと判定した第１の番組と、該放送受信装置が表示可能な映像データの解像度へ前記映像データの解像度を変換することが許可されることによって、または該放送受信装置が表示可能な映像データの解像度より前記映像データの解像度が高くないことによって、視聴することができると判定した第２の番組とを識別可能とした電子番組表を生成する番組表生成ステップと、
をコンピュータに実行させるプログラム。
【請求項１８】
少なくとも映像データを含んで放送される複数の番組の放送日時の情報と前記映像データの解像度の情報とが含まれる番組情報を取得する番組情報取得ステップと、
前記映像データの解像度の情報と、前記番組の前記映像データに応じた画像を視聴するための放送受信装置が表示可能な映像データの解像度の情報とに基づいて、該放送受信装置が表示可能な映像データの解像度より前記映像データの解像度が高いことによって視聴することができないと判定した第１の番組と、該放送受信装置が表示可能な映像データの解像度より前記映像データの解像度が高くないことによって視聴することができると判定した第２の番組とを識別可能とした電子番組表を生成する番組表生成ステップと、
をコンピュータに実行させるためのプログラムを記録したコンピュータ読み取り可能な記録媒体。
【請求項１９】
少なくとも映像データを含んで放送される複数の番組の放送日時の情報、前記映像データの解像度の情報、及び前記映像データに対する解像度変換を許可するか否かを表す解像度変換可否の情報が含まれる番組情報を取得する番組情報取得ステップと、
前記映像データの解像度の情報、前記映像データに対する解像度変換可否の情報、及び前記番組の前記映像データに応じた画像を視聴するための放送受信装置が表示可能な映像データの解像度の情報に基づいて、該放送受信装置が表示可能な映像データの解像度より前記映像データの解像度が高い場合に、該放送受信装置が表示可能な映像データの解像度へ前記映像データの解像度を変換することが許可されないことによって視聴することができないと判定した第１の番組と、該放送受信装置が表示可能な映像データの解像度へ前記映像データの解像度を変換することが許可されることによって、または該放送受信装置が表示可能な映像データの解像度より前記映像データの解像度が高くないことによって、視聴することができると判定した第２の番組とを識別可能とした電子番組表を生成する番組表生成ステップと、
をコンピュータに実行させるためのプログラムを記録したコンピュータ読み取り可能な記録媒体。
【発明の詳細な説明】
【技術分野】
【０００１】
本発明は、番組表提供装置、番組表提供方法、プログラム、および記録媒体に関する。
【背景技術】
【０００２】
テレビジョン放送においては、地上波放送、衛星放送、専用回線を用いて、映像および音声のデータをデジタル化した番組（以下、「映像コンテンツ」という）の放送が普及している。そして、近年では、複数の映像コンテンツの放送が、多数の放送事業者（例えば、放送局など）で行われている。なお、１つの放送事業者で放送する映像コンテンツは１つである場合もあるが、１つの放送事業者が複数のチャンネルで同じ時間帯に複数の映像コンテンツを放送している場合もある。このため、映像コンテンツを受信するデジタル放送受信装置であるテレビジョン受像機、いわゆる、テレビでは、多数の放送事業者やチャンネルで放送される映像コンテンツ（番組）の放送予定時間や番組の内容を視聴者であるテレビのユーザーに提示するための電子番組表（ＥＰＧ、Ｅｌｅｃｔｒｏｎｉｃ  Ｐｒｏｇｒａｍ  Ｇｕｉｄｅ）を生成する機能を備えている。ユーザーは、電子番組表に示されたいずれかの放送事業者やチャンネルを選択することによって、所望の番組を視聴することができる。
【０００３】
また、近年では、映像コンテンツの高精細化が進んでおり、映像コンテンツに含まれる映像データが高解像度化し、従来のＶＧＡサイズ（６４０×４８０サイズ）の解像度から、フルＨＤサイズ（１９２０×１０８０サイズ）の解像度が主流になっている。また、さらに高解像度化した４Ｋサイズ（例えば、３８４０×２１６０サイズ）の解像度をもつ映像コンテンツの放送も実用化されてきている。そして、４Ｋサイズの解像度をさらに高解像度化した８Ｋサイズ（例えば、８１９２×４３２０サイズ）の解像度も計画されている。
【０００４】
しかしながら、放送電波の受信状況や、例えば、テレビに備えているデコーダ、いわゆる、チューナーが対応する解像度によっては、全ての映像コンテンツ（番組）を視聴することができるとは限らない。特許文献１には、例えば、降雨減衰などの要因で衛星放送の放送電波の受信状況が悪化して受信することができなくなってしまった番組を、電子番組表で選択して視聴することができる番組の選択肢から外すことによって、視聴することができない番組をユーザーに報知する放送受信装置の技術が開示されている。また、特許文献２には、映像コンテンツの解像度などの情報をユーザーに知らせると共に、ユーザーによって選択された解像度で映像コンテンツを視聴することができるようにしたテレビジョン受像機の技術が開示されている。より具体的には、映像コンテンツの解像度が、ＶＧＡサイズからフルＨＤサイズに切り替わった場合にユーザーがＶＧＡサイズでの視聴を選択すると、フルＨＤサイズの映像コンテンツをＶＧＡサイズに変換、つまり、ダウンコンバートして視聴できるようにする技術が開示されている。また、特許文献２には、映像コンテンツの解像度が、フルＨＤサイズからＶＧＡサイズに切り替わった場合にユーザーがフルＨＤサイズでの視聴を選択すると、ＶＧＡサイズの映像コンテンツをフルＨＤサイズに変換、つまり、アップコンバートして視聴できるようにする技術も開示されている。これにより、ユーザーは、映像コンテンツの解像度が切り替わった場合に、選択した解像度で所望の番組を視聴することができる。
【０００５】
また、例えば、番組の制作者や映像コンテンツの著作権者の意向によって、解像度の変換など、映像コンテンツに対する変更（変換）が許可されないことも考えられる。この場合、特許文献２に開示された技術によっても、変換が許可されていない映像コンテンツの解像度を変換（ダウンコンバートやアップコンバート）して視聴することはできない。このため、解像度の変換が許可されていない映像コンテンツを視聴するために、高解像度の映像コンテンツの放送電波を受信することができるデコーダの開発が必要となる。しかし、デコーダの開発には時間を要すると考えられる。また、デコーダを開発した場合であっても、デコーダ自体やテレビに備えた表示パネル（例えば、液晶パネル）のコストが高くなり、テレビの価格が高くなってしまうことが考えられる。
【先行技術文献】
【特許文献】
【０００６】
【特許文献１】特開２０１１−０７１７２５号公報
【特許文献２】特開２００２−０８４４７４号公報
【発明の概要】
【発明が解決しようとする課題】
【０００７】
ところで、近年では、電子番組表をテレビで取得して閲覧する方法以外に、番組の視聴者であるテレビのユーザーが使用するパーソナルコンピュータ（ＰＣ）や、いわゆる、スマートフォンやタブレット端末などの携帯通信端末を、電子番組表を閲覧するための装置として利用する方法も実現されている。この場合、パーソナルコンピュータや携帯通信端末は、例えば、インターネット上のウェブサービス（Ｗｅｂサービス）などの公衆のネットワーク通信網を介して電子番組表をサーバ装置から取得し、パーソナルコンピュータや携帯通信端末においてアプリケーションソフトウェアとして実行されているウェブブラウザ（Ｗｅｂブラウザ）の表示画面に、取得した電子番組表の情報を表示する。
【０００８】
しかしながら、テレビ以外で電子番組表を取得した場合には、電子番組表内に示されたそれぞれの番組が、ユーザーが所有しているテレビで視聴することができる映像コンテンツであるか否かを判定することができない。
【０００９】
本発明は、上記の課題に基づいてなされたものであり、テレビジョン受像機以外が番組を受信する経路と異なる経路で電子番組表を取得した場合においても、視聴することができない番組を報知することができる番組表提供装置、番組表提供方法、プログラム、および記録媒体を提供することを目的としている。
【課題を解決するための手段】
【００１０】
上記の課題を解決するため、本発明の番組表提供装置は、少なくとも映像データを含んで放送される複数の番組の放送日時の情報と前記映像データの解像度の情報とが含まれる番組情報を取得する番組情報取得部と、前記映像データの解像度の情報と、前記番組の前記映像データに応じた画像を視聴するための放送受信装置が表示可能な映像データの解像度の情報とに基づいて、該放送受信装置が表示可能な映像データの解像度より前記映像データの解像度が高いことによって視聴することができないと判定した第１の番組と、該放送受信装置が表示可能な映像データの解像度より前記映像データの解像度が高くないことによって視聴することができると判定した第２の番組とを識別可能とした電子番組表を生成する番組表生成部と、を備える。
また、本発明の番組表提供装置は、少なくとも映像データを含んで放送される複数の番組の放送日時の情報、前記映像データの解像度の情報、及び前記映像データに対する解像度変換を許可するか否かを表す解像度変換可否の情報が含まれる番組情報を取得する番組情報取得部と、前記映像データの解像度の情報、前記映像データに対する解像度変換可否の情報、及び前記番組の前記映像データに応じた画像を視聴するための放送受信装置が表示可能な映像データの解像度の情報に基づいて、該放送受信装置が表示可能な映像データの解像度より前記映像データの解像度が高い場合に、該放送受信装置が表示可能な映像データの解像度へ前記映像データの解像度を変換することが許可されないことによって視聴することができないと判定した第１の番組と、該放送受信装置が表示可能な映像データの解像度へ前記映像データの解像度を変換することが許可されることによって、または該放送受信装置が表示可能な映像データの解像度より前記映像データの解像度が高くないことによって、視聴することができると判定した第２の番組とを識別可能とした電子番組表を生成する番組表生成部と、を備える。
【００１１】
また、本発明の番組表提供装置における前記番組情報取得部は、前記番組情報を、前記番組を受信する経路と異なる経路で取得する。
【００１２】
また、本発明の番組表提供装置における前記番組表生成部は、生成した前記電子番組表のデータを、前記番組を受信する経路と異なる経路で、前記電子番組表を表示する表示部に提供する。
【００１３】
また、本発明の番組表提供装置における前記番組表生成部は、生成した前記電子番組表のデータを、前記番組を受信する経路と同じ経路で、前記電子番組表を表示する表示部に提供する。
【００１４】
また、本発明の番組表提供装置における前記番組表生成部は、前記第１の番組が表される前記電子番組表内の第１の領域に、視聴することができない番組であることを示した前記電子番組表を生成する。
【００１５】
また、本発明の番組表提供装置における前記番組表生成部は、前記第１の領域の表示と、前記第２の番組が表される前記電子番組表内の第２の領域の表示とを異なる表示にした前記電子番組表を生成する。
【００１６】
また、本発明の番組表提供装置における前記番組表生成部は、前記第１の領域の色を、前記第２の領域の色と異なる色で表した前記電子番組表を生成する。
【００１７】
また、本発明の番組表提供装置における前記番組表生成部は、前記第１の領域内に、該第１の領域に配列される前記番組に対応する前記番組情報に含まれる情報を表示しない前記電子番組表を生成する。
【００１８】
また、本発明の番組表提供装置における前記番組表生成部は、前記第１の領域内に、視聴することができない番組であること明示するためのメッセージを表示した前記電子番組表を生成する。
【００１９】
また、本発明の番組表提供装置における前記番組情報取得部は、前記映像データに対する解像度変換を許可するか否かを表す解像度変換可否の情報がさらに含まれる前記番組情報を取得し、前記番組表生成部は、前記解像度変換可否の情報に基づいて、前記第１の番組の内、前記映像データに対する解像度変換が許可されていない第３の番組を判定し、該判定した前記第３の番組が表される前記電子番組表内の第３の領域に、前記映像データに対する解像度変換が許可されていない番組であることを示した前記電子番組表を生成する。
【００２０】
また、本発明の番組表提供装置における前記番組表生成部は、前記映像データに対する解像度変換が許可されていると判定した前記第１の番組が表される前記電子番組表内の第１の領域の表示と、前記第３の領域の表示とを異なる表示にする。
【００２１】
また、本発明の番組表提供装置における前記番組を受信する経路は、放送電波によって前記番組を放送する放送網であり、前記番組を受信する経路と異なる経路は、前記放送電波の前記放送網と異なるネットワーク通信網である。
【００２２】
また、本発明の番組表提供方法は、少なくとも映像データを含んで放送される複数の番組の放送日時の情報と前記映像データの解像度の情報とが含まれる番組情報を取得する番組情報取得ステップと、前記映像データの解像度の情報と、前記番組の前記映像データに応じた画像を視聴するための放送受信装置が表示可能な映像データの解像度の情報とに基づいて、該放送受信装置が表示可能な映像データの解像度より前記映像データの解像度が高いことによって視聴することができないと判定した第１の番組と、該放送受信装置が表示可能な映像データの解像度より前記映像データの解像度が高くないことによって視聴することができると判定した第２の番組とを識別可能とした電子番組表を生成する番組表生成ステップと、を含む。
また、本発明の番組表提示方法は、少なくとも映像データを含んで放送される複数の番組の放送日時の情報、前記映像データの解像度の情報、及び前記映像データに対する解像度変換を許可するか否かを表す解像度変換可否の情報が含まれる番組情報を取得する番組情報取得ステップと、前記映像データの解像度の情報、前記映像データに対する解像度変換可否の情報、及び前記番組の前記映像データに応じた画像を視聴するための放送受信装置が表示可能な映像データの解像度の情報に基づいて、該放送受信装置が表示可能な映像データの解像度より前記映像データの解像度が高い場合に、該放送受信装置が表示可能な映像データの解像度へ前記映像データの解像度を変換することが許可されないことによって視聴することができないと判定した第１の番組と、該放送受信装置が表示可能な映像データの解像度へ前記映像データの解像度を変換することが許可されることによって、または該放送受信装置が表示可能な映像データの解像度より前記映像データの解像度が高くないことによって、視聴することができると判定した第２の番組とを識別可能とした電子番組表を生成する番組表生成ステップと、を含む。
【００２３】
また、本発明のプログラムは、少なくとも映像データを含んで放送される複数の番組の放送日時の情報と前記映像データの解像度の情報とが含まれる番組情報を取得する番組情報取得ステップと、前記映像データの解像度の情報と、前記番組の前記映像データに応じた画像を視聴するための放送受信装置が表示可能な映像データの解像度の情報とに基づいて、該放送受信装置が表示可能な映像データの解像度より前記映像データの解像度が高いことによって視聴することができないと判定した第１の番組と、該放送受信装置が表示可能な映像データの解像度より前記映像データの解像度が高くないことによって視聴することができると判定した第２の番組とを識別可能とした電子番組表を生成する番組表生成ステップと、をコンピュータに実行させる。
また、本発明のプログラムは、少なくとも映像データを含んで放送される複数の番組の放送日時の情報、前記映像データの解像度の情報、及び前記映像データに対する解像度変換を許可するか否かを表す解像度変換可否の情報が含まれる番組情報を取得する番組情報取得ステップと、前記映像データの解像度の情報、前記映像データに対する解像度変換可否の情報、及び前記番組の前記映像データに応じた画像を視聴するための放送受信装置が表示可能な映像データの解像度の情報に基づいて、該放送受信装置が表示可能な映像データの解像度より前記映像データの解像度が高い場合に、該放送受信装置が表示可能な映像データの解像度へ前記映像データの解像度を変換することが許可されないことによって視聴することができないと判定した第１の番組と、該放送受信装置が表示可能な映像データの解像度へ前記映像データの解像度を変換することが許可されることによって、または該放送受信装置が表示可能な映像データの解像度より前記映像データの解像度が高くないことによって、視聴することができると判定した第２の番組とを識別可能とした電子番組表を生成する番組表生成ステップと、をコンピュータに実行させる。
【００２４】
また、本発明の記録媒体は、少なくとも映像データを含んで放送される複数の番組の放送日時の情報と前記映像データの解像度の情報とが含まれる番組情報を取得する番組情報取得ステップと、前記映像データの解像度の情報と、前記番組の前記映像データに応じた画像を視聴するための放送受信装置が表示可能な映像データの解像度の情報とに基づいて、該放送受信装置が表示可能な映像データの解像度より前記映像データの解像度が高いことによって視聴することができないと判定した第１の番組と、該放送受信装置が表示可能な映像データの解像度より前記映像データの解像度が高くないことによって視聴することができると判定した第２の番組とを識別可能とした電子番組表を生成する番組表生成ステップと、をコンピュータに実行させるためのプログラムを記録したコンピュータ読み取り可能な記録媒体である。
また、本発明の記録媒体は、少なくとも映像データを含んで放送される複数の番組の放送日時の情報、前記映像データの解像度の情報、及び前記映像データに対する解像度変換を許可するか否かを表す解像度変換可否の情報が含まれる番組情報を取得する番組情報取得ステップと、前記映像データの解像度の情報、前記映像データに対する解像度変換可否の情報、及び前記番組の前記映像データに応じた画像を視聴するための放送受信装置が表示可能な映像データの解像度の情報に基づいて、該放送受信装置が表示可能な映像データの解像度より前記映像データの解像度が高い場合に、該放送受信装置が表示可能な映像データの解像度へ前記映像データの解像度を変換することが許可されないことによって視聴することができないと判定した第１の番組と、該放送受信装置が表示可能な映像データの解像度へ前記映像データの解像度を変換することが許可されることによって、または該放送受信装置が表示可能な映像データの解像度より前記映像データの解像度が高くないことによって、視聴することができると判定した第２の番組とを識別可能とした電子番組表を生成する番組表生成ステップと、をコンピュータに実行させるためのプログラムを記録したコンピュータ読み取り可能な記録媒体である。
【発明の効果】
【００２５】
本発明によれば、テレビジョン受像機以外が番組を受信する経路と異なる経路で電子番組表を取得した場合においても、視聴することができない番組を報知することができる番組表提供装置、番組表提供方法、プログラム、および記録媒体を提供することができるという効果が得られる。
【図面の簡単な説明】
【００２６】
【図１】本発明の第１の実施形態における番組表提供装置を含む番組表表示システムの概略構成を示したブロック図である。
【図２】本第１の実施形態に係るＭＨ−イベント情報テーブルのデータ構造を説明する図である。
【図３】本第１の実施形態に係るＭＨ−短形式イベント記述子のデータ構造を説明する図である。
【図４】本第１の実施形態に係るＭＨ−拡張形式イベント記述子のデータ構造を説明する図である。
【図５】本第１の実施形態に係る映像コンポーネント記述子のデータ構造を説明する図である。
【図６】本第１の実施形態に係る映像コンポーネント記述子における映像信号解像度の値の構造を説明する図である。
【図７】本第１の実施形態における番組表提供装置の構成の一例を示したブロック図である。
【図８】本第１の実施形態の番組表提供装置において電子番組表を生成する処理の処理手順を示したフローチャートである。
【図９】本第１の実施形態の番組表提供装置において生成した電子番組表の一例を模式的に示した図である。
【図１０】本第１の実施形態の番組表提供装置において生成した電子番組表の別の一例を模式的に示した図である。
【図１１】本発明の第２の実施形態における番組表提供装置を含む番組表表示システムの概略構成を示したブロック図である。
【図１２】本発明の第３の実施形態における番組表提供装置を含む番組表表示システムの概略構成を示したブロック図である。
【図１３】本発明の第３の実施形態の番組表表示システムに備えた番組表提供装置の概略構成を示したブロック図である。
【発明を実施するための形態】
【００２７】
＜第１の実施形態＞
以下、本発明の実施形態について、図面を参照して説明する。図１は、本発明の第１の実施形態における番組表提供装置を含む番組表表示システムの概略構成を示したブロック図である。番組表表示システム１は、番組表表示装置１０と、送信装置２０と、サーバ装置３０とを含んで構成されている。番組表表示システム１では、送信装置２０に接続されたサーバ装置３０と、番組表表示装置１０とがインターネット４０を介して接続されている。
【００２８】
番組表表示システム１において、番組表表示装置１０、送信装置２０、およびサーバ装置３０の台数は、一般的にそれぞれ複数であるが、以下の説明においては、説明を容易にするため、番組表表示装置１０、送信装置２０、およびサーバ装置３０の台数が、それぞれ１台である番組表表示システム１の場合について説明する。また、以下の説明においては、番組表表示装置１０が、不図示のテレビジョン受像機（以下、「テレビ」という）によって番組を視聴する視聴者であるユーザーが使用するパーソナルコンピュータ（ＰＣ）であるものとして説明する。
【００２９】
送信装置２０は、デジタル放送の番組（映像コンテンツ）の放送電波を送信する、例えば、放送局などの放送事業者に備えられた送信装置である。以下の説明では、送信装置２０におけるデジタル放送のメディアトランスポート方式として、ＭＭＴ（ＭＰＥＧ  Ｍｅｄｉａ  Ｔｒａｎｓｐｏｒｔ）方式が採用されている場合について説明する。送信装置２０は、番組データｉ１と番組配列情報ｉ２とを多重化した放送電波を送信する。
【００３０】
番組データｉ１は、少なくとも映像データおよび音声データの一方のデータが含まれる番組のコンテンツデータである。なお、以下の説明においては、番組データｉ１が、映像データおよび音声データの両方のデータを含む映像コンテンツであるものとして説明する。なお、番組データｉ１に含まれる映像データと音声データとのそれぞれは、予め定めた符号化方式で符号化されたデータである。例えば、映像データは、Ｈ．２６５、いわゆる、ＨＥＶＣ（Ｈｉｇｈ  Ｅｆｆｉｃｉｅｎｃｙ  Ｖｉｄｅｏ  Ｃｏｄｉｎｇ）などの符号化方式で符号化されたデータである。また、例えば、音声データは、ＩＳＯ／ＩＥＣ  １４４９６  Ｐａｒｔ３、いわゆる、ＭＰＥＧ−４オーディオなどの符号化方式で符号化されたデータである。
【００３１】
また、番組配列情報ｉ２は、映像コンテンツである番組データｉ１、つまり、放送される番組に関する付帯情報である。より具体的には、番組配列情報ｉ２には、例えば、番組識別情報と、放送日時情報とが含まれている。ここで、番組識別情報は、例えば、放送される番組の種類、内容、分量、および配列などの番組を識別する情報である。また、放送日時情報は、番組の放送日時を示す情報である。また、番組配列情報ｉ２には、電子番組表ｉ３を生成する際に用いられる種々の情報が含まれている。
【００３２】
送信装置２０から送信された放送電波は、地上波、ケーブルのような有線伝送路、または放送衛星を介して、例えば、番組表表示装置１０のユーザーが映像コンテンツ（番組）を視聴するために使用している不図示のテレビに伝送される。また、送信装置２０は、電子番組表ｉ３を生成する際に用いられる種々の情報を、サーバ装置３０に出力する。送信装置２０は、例えば、番組配列情報ｉ２を、電子番組表ｉ３を生成する際に用いられる種々の情報としてサーバ装置３０に出力する。
【００３３】
サーバ装置３０は、例えば、放送局などの放送事業者に備えられ、送信装置２０から出力された種々の情報を記憶する。サーバ装置３０には、送信装置２０から出力された電子番組表ｉ３を生成する際に用いられる種々の情報（例えば、番組配列情報ｉ２）が記憶されている。サーバ装置３０は、番組表表示装置１０からインターネット４０を介して送信されてきた情報の出力要求（番組表表示装置１０からの出力要求）に応じて、記憶している電子番組表ｉ３の生成に用いる情報（以下、「電子番組表情報」という）を、インターネット４０を介して番組表表示装置１０に送信する。
【００３４】
番組表表示装置１０は、電子番組表情報に基づいて電子番組表ｉ３を生成し、生成した電子番組表ｉ３を表示する番組表提供装置である。番組表表示装置１０は、出力した情報の出力要求に応じてインターネット４０を介して送信されてきた電子番組表情報を受信（取得）し、取得した電子番組表情報に基づいて電子番組表ｉ３を生成する。番組表表示装置１０は、生成した電子番組表ｉ３を表示部に表示させることによって、番組表表示装置１０のユーザー、つまり、映像コンテンツの視聴者に、映像コンテンツに関する種々の情報を提示する。
【００３５】
次に、番組表表示装置１０が電子番組表ｉ３を生成する際に用いる電子番組表情報について説明する。以下の説明においては、電子番組表ｉ３を生成する際に用いる電子番組表情報として、番組表表示装置１０が番組配列情報ｉ２をサーバ装置３０から取得するものとし、番組配列情報ｉ２の一例について説明する。本第１の実施形態において番組配列情報ｉ２には、ＭＭＴ方式によって送信される放送電波に関する各種テーブルを含んでいる。本第１の実施形態に係る番組配列情報ｉ２には、少なくともＭＨ−イベント情報テーブル（ＭＨ−Ｅｖｅｎｔ  Ｉｎｆｏｒｍａｔｉｏｎ  Ｔａｂｌｅ：ＭＨ−ＥＩＴ）を含んでいる。ＭＨ−イベント情報テーブルは、番組の名称、放送日時、放送内容の説明など、番組に関する種々の情報が含まれたテーブルである。
【００３６】
ここで、番組配列情報ｉ２に含まれるＭＨ−イベント情報テーブル（以下、「ＭＨ−ＥＩＴ」という）およびこのＭＨ−ＥＩＴにおける記述子のデータ構造について説明する。なお、以下の説明においては、説明を容易にするため、電子番組表ｉ３の表示に関するＭＨ−ＥＩＴ内の一部の記述子についてのみ説明する。
【００３７】
＜ＭＨ−ＥＩＴのデータ構造＞
図２は、本第１の実施形態に係るＭＨ−イベント情報テーブル（ＭＨ−ＥＩＴ）のデータ構造を説明する図である。ＭＨ−ＥＩＴは、送信装置２０から送信される放送電波の構成の情報を表す構成要素の一つであり、上述したように、放送される番組の名称、放送日時などの番組に関する情報を表している。図２示したように、ＭＨ−ＥＩＴ（ＭＨ−Ｅｖｅｎｔ＿Ｉｎｆｏｒｍａｔｉｏｎ＿Ｔａｂｌｅ（））には、イベント識別（ｅｖｅｎｔ＿ｉｄ）、開始時刻（ｓｔａｒｔ＿ｔｉｍｅ）、および継続時間（ｄｕｒａｔｉｏｎ）を含んでいる。イベント識別には、例えば、番組の識別情報などを表す、イベントの識別番号が示される。また、開始時刻には、イベントの開始時刻、つまり、番組の開始時刻（日時）が示される。また、継続時間は、イベントの継続時間、つまり、番組の放送時間の長さが示される。
【００３８】
また、ＭＨ−ＥＩＴ（ＭＨ−Ｅｖｅｎｔ＿Ｉｎｆｏｒｍａｔｉｏｎ＿Ｔａｂｌｅ（））には、イベント識別ごとに記述子領域（ｄｅｓｃｒｉｐｔｏｒ（））が設けられている。記述子領域（ｄｅｓｃｒｉｐｔｏｒ（））は、記述子を格納する領域である。本第１の実施形態に係るＭＨ−ＥＩＴには、ＭＨ−短形式イベント記述子、およびＭＨ−拡張形式イベント記述子を含んでいる。このＭＨ−短形式イベント記述子、およびＭＨ−拡張形式イベント記述子に、番組名や番組の説明などの情報が記述される。また、本第１の実施形態に係るＭＨ−ＥＩＴ（ＭＨ−Ｅｖｅｎｔ＿Ｉｎｆｏｒｍａｔｉｏｎ＿Ｔａｂｌｅ（））には、映像コンポーネント記述子を含んでいる。この映像コンポーネント記述子に、番組の映像データの解像度などの情報が記述される。
【００３９】
＜ＭＨ−短形式イベント記述子のデータ構造＞
図３は、本第１の実施形態に係るＭＨ−短形式イベント記述子のデータ構造を説明する図である。図３示したように、ＭＨ−短形式イベント記述子（ＭＨ−Ｓｈｏｒｔ＿Ｅｖｅｎｔ＿Ｄｅｓｃｒｉｐｔｏｒ（））には、番組名（ｅｖｅｎｔ＿ｎａｍｅ＿ｃｈａｒ）、および番組記述（ｔｅｘｔ＿ｃｈａｒ）を含んでいる。番組名には、番組の名称が記述される。番組記述には、番組の説明が記述される。
【００４０】
＜ＭＨ−拡張形式イベント記述子のデータ構造＞
図４は、本第１の実施形態に係るＭＨ−拡張形式イベント記述子のデータ構造を説明する図である。図４示したように、ＭＨ−拡張形式イベント記述子（ＭＨ−Ｅｘｔｅｎｄｅｄ＿Ｅｖｅｎｔ＿Ｄｅｓｃｒｉｐｔｏｒ（））には、項目ごとの項目名（文字符号）（ｉｔｅｍ＿ｄｅｓｃｒｉｐｔｉｏｎ＿ｃｈａｒ）、および項目記述（文字符号）（ｉｔｅｍ＿ｃｈａｒ）を含んでいる。項目名（文字符号）には、項目の名称が記述される。項目記述（文字符号）には、項目の内容が記述される。一般的に、項目名（文字符号）と項目記述（文字符号）とによって、番組の配役のリストが記述される。例えば、項目名「プロデューサー」であり、項目記述「日本  太郎」である場合、その項目名（文字符号）と項目記述（文字符号）とは、番組のプロデューサーが日本太郎であることを表している。
【００４１】
また、ＭＨ−拡張形式イベント記述子（ＭＨ−Ｅｘｔｅｎｄｅｄ＿Ｅｖｅｎｔ＿Ｄｅｓｃｒｉｐｔｏｒ（））には、拡張記述（文字符号）（ｔｅｘｔ＿ｃｈａｒ）を含んでいる。拡張記述（文字符号）には、項目なしの番組についての情報が記述される。
【００４２】
＜映像コンポーネント記述子のデータ構造＞
図５は、本第１の実施形態に係る映像コンポーネント記述子のデータ構造を説明する図である。図５示したように、映像コンポーネント記述子（Ｖｉｄｅｏ＿Ｃｏｍｐｏｎｅｎｔ＿Ｄｅｓｃｒｉｐｔｏｒ（））には、映像信号解像度（ｖｉｄｅｏ＿ｒｅｓｏｌｕｔｉｏｎ）を含んでいる。映像信号解像度には、映像信号の垂直方向の解像度についての情報が記述される。
【００４３】
＜映像信号解像度のデータ構造＞
図６は、本第１の実施形態に係る映像コンポーネント記述子における映像信号解像度の値の構造を説明する図である。図６示したように、映像信号解像度の値のそれぞれには、映像信号の垂直方向の解像度が割り当てられている。例えば、映像信号解像度の値が「６」である場合、映像信号の垂直方向の解像度が「２１６０」である、つまり、受信した映像信号が４Ｋサイズ（例えば、３８４０×２１６０）の解像度であることを示している。また、例えば、映像信号解像度の値が「７」である場合、映像信号の垂直方向の解像度が「４３２０」である、つまり、受信した映像信号が８Ｋサイズ（例えば、８１９２×４３２０）の解像度であることを示している。
【００４４】
番組表表示装置１０は、上述したような番組配列情報ｉ２を電子番組表情報として、インターネット４０を介してサーバ装置３０から取得する。そして、番組表表示装置１０は、取得した電子番組表情報（番組配列情報ｉ２）に基づいて生成した電子番組表ｉ３の画像を、表示部に表示させる。
【００４５】
次に、番組表表示装置１０の構成について説明する。図７は、本第１の実施形態における番組表提供装置（番組表表示装置１０）の構成の一例を示したブロック図である。番組表表示装置１０は、通信部１１と、操作入力部１２と、表示部１３と、記憶部１４と、制御部１５とを含んで構成されている。また、制御部１５は、番組表生成部１５１を含んで構成されている。また、番組表生成部１５１は、番組表比較部１５１１と番組表更新部１５１２とを含んで構成されている。
【００４６】
通信部１１は、番組表表示装置１０とサーバ装置３０との間での種々の情報の送受信を、インターネット４０を介して行う。より具体的には、通信部１１は、制御部１５からの制御に応じて、電子番組表情報、つまり、番組配列情報ｉ２の出力要求をサーバ装置３０に送信する。また、通信部１１は、インターネット４０を介して送信されてきた番組配列情報ｉ２を受信し、受信した番組配列情報ｉ２を電子番組表情報として制御部１５に出力する。
【００４７】
操作入力部１２は、番組表表示装置１０のユーザーによる操作を受け付ける。例えば、操作入力部１２は、番組表表示装置１０に接続されたマウスの操作や、キーボードの操作など、番組表表示装置１０に対するユーザーの操作を受け付ける。操作入力部１２は、受け付けたユーザーによる操作を表す情報を制御部１５に出力する。より具体的には、ユーザーが操作入力部１２を操作することによって、電子番組表ｉ３の表示の指示や、電子番組表ｉ３を表示する際の条件を番組表表示装置１０に入力する。そして、操作入力部１２は、ユーザーによって入力された電子番組表ｉ３の表示の指示や、電子番組表ｉ３を表示する際の条件を表す情報を制御部１５に出力する。ここで、電子番組表ｉ３を表示する際の条件とは、例えば、番組表表示装置１０のユーザーが映像コンテンツ（番組）を視聴するために使用しているテレビの型番や、テレビが表示することができる映像データの解像度、つまり、テレビが対応している映像コンテンツの解像度などの情報である。
【００４８】
表示部１３は、入力された画像信号に応じた画像を表示する、例えば、液晶パネル、有機ＥＬパネルなどの表示パネルを含んで構成される。表示部１３は、制御部１５から出力された画像信号に応じた画像を表示する。ここでは、表示部１３は、制御部１５に備えた番組表生成部１５１から出力された電子番組表ｉ３の画像を表示する。なお、表示部１３は、番組表表示装置１０に内蔵される構成であってもよいし、番組表表示装置１０に接続される外部の表示装置の構成であってもよい。また、表示部１３は、操作入力部１２と共に形成される構成であってもよい。例えば、操作入力部１２として押圧センサを備え、操作入力部１２と表示部１３とを重ね合わせて形成したタッチパネルとして備えられてもよい。この場合、操作入力部１２は、表示部１３に表示された電子番組表ｉ３の画像に対してユーザーが行った各種のタッチ（タップやフリックなど）操作を検出し、検出したユーザーによる操作を表す情報を制御部１５に出力する。
【００４９】
記憶部１４は、制御部１５または制御部１５内の構成要素が種々の処理を実行するためのプログラムや、処理に使用するデータを記憶する。記憶部１４は、例えば、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などのメモリを含んで構成される。より具体的には、記憶部１４は、例えば、通信部１１がインターネット４０を介して取得して制御部１５に出力した電子番組表情報（番組配列情報ｉ２）を記憶する。また、記憶部１４は、操作入力部１２を操作することによってユーザーが入力した、電子番組表ｉ３を表示する際の条件を表す情報を記憶する。このとき、記憶部１４には、例えば、図６に示した映像信号の垂直方向の解像度についての情報と、電子番組表ｉ３を表示する際の条件を表す情報に含まれるテレビが表示することができる映像データの解像度とを対応付けて記憶してもよい。ここで、図６に示した映像信号の垂直方向の解像度と、テレビが表示することができる映像データの解像度とを対応付ける方法としては、例えば、図６に示したそれぞれの解像度の情報に、テレビが表示することができるか否かの判定結果を表すフラグを付加して記憶する方法などが考えられる。
【００５０】
なお、記憶部１４は、その他のメモリや、ＨＤＤ（Ｈａｒｄ  ｄｉｓｋ  ｄｒｉｖｅ）などの記憶装置を含んで構成してもよい。また、記憶部１４は、番組表表示装置１０に備えたＣＰＵ（Ｃｅｎｔｒａｌ  Ｐｒｏｃｅｓｓｉｎｇ  Ｕｎｉｔ）が実行するための各種プログラムや、ＣＰＵが実行している途中または処理の結果などを記憶してもよい。
【００５１】
制御部１５は、操作入力部１２から入力された電子番組表を表示するユーザーからの指示の情報に応じて、記憶部１４に記憶している電子番組表情報に基づいた電子番組表ｉ３の画像信号を生成する。そして、制御部１５は、生成した電子番組表ｉ３の画像信号を表示部１３に出力する。より具体的には、番組表生成部１５１が、記憶部１４に記憶している電子番組表情報、つまり、通信部１１がインターネット４０を介して送信装置２０に接続されているサーバ装置３０から取得した番組配列情報ｉ２に含まれるＭＨ−ＥＩＴに基づいて電子番組表ｉ３の画像信号を生成して表示部１３に出力する。
【００５２】
ここで、番組表生成部１５１が番組配列情報ｉ２に含まれるＭＨ−ＥＩＴに基づいて電子番組表ｉ３を生成する処理の概要について説明する。まず、番組表生成部１５１は、記憶部１４から番組配列情報ｉ２を読み出し、読み出した番組配列情報ｉ２に含まれるＭＨ−ＥＩＴから、番組識別情報と放送日時情報とを取得する。より具体的には、番組表生成部１５１は、ＭＨ−ＥＩＴに含まれるイベント識別（ｅｖｅｎｔ＿ｉｄ）に記述されたイベントの識別番号を、番組識別情報として取得する。また、番組表生成部１５１は、ＭＨ−ＥＩＴに含まれる開始時刻（ｓｔａｒｔ＿ｔｉｍｅ）に記述されたイベントの開始時刻と、継続時間（ｄｕｒａｔｉｏｎ）に記述されたイベントの継続時間とを、放送日時情報として取得する。続いて、番組表生成部１５１は、取得した放送日時情報に基づいて、電子番組表ｉ３において各番組を割り当てる領域、すなわち、電子番組表ｉ３における各番組の枠組みを生成する。そして、番組表生成部１５１は、割り当てた領域（枠組み）に、取得した番組識別情報のデータを配置する。番組表生成部１５１は、このような電子番組表ｉ３を生成する処理を、記憶部１４から読み出した番組配列情報ｉ２の数、すなわち、通信部１１がインターネット４０を介して取得した全ての番組配列情報ｉ２に対して繰り返して電子番組表ｉ３を生成する。
【００５３】
ところで、通信部１１がインターネット４０を介して取得した番組配列情報ｉ２に対応する番組データｉ１には、様々な解像度の映像データが含まれている。そして、番組表表示装置１０のユーザーが映像コンテンツ（番組）を視聴するために使用するテレビは、高解像度の番組に対応していない場合もある。例えば、ユーザーが使用するテレビの性能によっては、高解像度の映像データに応じた画像を表示することができないことが考えられる。より具体的には、例えば、ユーザーが使用するテレビに備えた表示パネルが、高解像度の映像データに応じた画像を表示することができないことが考えられる。また、例えば、ユーザーが使用するテレビに備えた映像処理部では、高解像度の映像データを復号することができないことも考えられる。また、例えば、ユーザーが使用するテレビに備えた放送受信部が、そもそも高解像度の映像データが含まれる放送電波を受信することができない場合もある。このような場合、ユーザーが使用するテレビでは、ユーザーが所望する番組の視聴ができないことになる。
【００５４】
このため、番組表生成部１５１は、ユーザーが使用するテレビによって視聴することができない高解像度の映像の番組に割り当てられた領域（枠組み）を、ユーザーが使用するテレビによって視聴することができる他の番組に割り当てられた領域（枠組み）と異なる表示にした電子番組表ｉ３を生成する。つまり、番組表生成部１５１は、ユーザーが使用するテレビによって視聴することができる番組と視聴することができない番組とを区別して識別することができるようにした電子番組表ｉ３を生成する。これにより、番組表表示装置１０のユーザー、つまり、映像コンテンツの視聴者に、視聴することができない番組を報知する。
【００５５】
なお、例えば、ユーザーが使用するテレビに備えた表示パネルが、高解像度の映像データに応じた画像を表示することができない場合においては、ユーザーが使用するテレビに接続されたセットトップボックス（Ｓｅｔ  Ｔｏｐ  Ｂｏｘ：ＳＴＢ）によって、映像コンテンツに含まれる映像データの解像度を変換（例えば、映像データの解像度を低解像度に変換するダウンコンバート）することによって、画質は低下してしまうのもの、高解像度の番組を視聴することができるようにすることも考えられる。しかし、通信部１１がインターネット４０を介して取得した番組配列情報ｉ２に対応する番組データｉ１には、解像度の変換などの映像コンテンツに対する変換が許可されていない場合もある。
【００５６】
この場合も、ユーザーが使用するテレビでは、ユーザーが所望する番組の視聴ができないことになる。このため、番組表生成部１５１は、ユーザーが使用するテレビに接続されたセットトップボックスによる視聴することができる解像度への変換が許可されていない高解像度の映像の番組もユーザーに報知する。より具体的には、解像度の変換が許可されていないため視聴することができない番組を識別することができるようにした電子番組表ｉ３を生成する。
【００５７】
より具体的には、番組表生成部１５１では、番組表比較部１５１１と番組表更新部１５１２とによって、生成した電子番組表ｉ３が、ユーザーが使用するテレビの性能に合致している電子番組表ｉ３であるか否かを判定し、映像コンテンツの解像度によって視聴することができない番組をユーザーに報知する。
【００５８】
番組表比較部１５１１は、番組配列情報ｉ２に基づいて生成した電子番組表ｉ３に含まれるそれぞれの番組の映像コンテンツの解像度と、操作入力部１２から入力された電子番組表を表示する際の条件に含まれる解像度の情報とを比較し、ユーザーが使用するテレビで表示することができる番組（映像コンテンツ）であるか否かを判定する。また、番組表比較部１５１１は、番組配列情報ｉ２に基づいて生成した電子番組表ｉ３に含まれるそれぞれの番組の映像コンテンツに対する変換が許可されているか否かを判定する。そして、番組表比較部１５１１は、それぞれの判定結果を番組表更新部１５１２に出力する。
【００５９】
番組表更新部１５１２は、番組表比較部１５１１から入力された判定結果に基づいて、生成した電子番組表ｉ３に含まれるそれぞれの番組の領域（枠組み）の表示方法を更新（変更）して、最終的な電子番組表ｉ３を生成する。そして、番組表更新部１５１２は、生成した最終的な電子番組表ｉ３の画像信号を表示部１３に出力する。
【００６０】
なお、視聴することができない番組をユーザーに報知するために電子番組表ｉ３内の枠組みの表示を変更する方法としては、例えば、視聴することができない番組の枠組みを灰色にすることによって目立たなくさせる、つまり、グレーダウンする方法がある。また、その他にも、例えば、視聴することができない番組の枠組みの色を視聴することができる番組の枠組みの色と異なる色にする、視聴することができない番組の枠組み内に番組識別情報のデータを配置しない（つまり、番組名や番組の説明などの情報を表示しない）などの方法もある。また、例えば、視聴することができない番組の枠組み内に、「この番組は受信できません」など、視聴することができない番組であることを表すメッセージを表示する方法もある。
【００６１】
また、解像度の変換が許可されていないため視聴することができない番組をユーザーに報知する方法としては、例えば、セットトップボックスによる解像度の変換が許可されていないことを表す印（例えば、アイコンなど）を、視聴することができない番組の枠組み内に表示する方法がある。また、その他にも、例えば、解像度の変換が許可されていないため視聴することができない番組の枠組みの色を、さらに異なる色にするなどの方法もある。また、例えば、解像度の変換が許可されていないため視聴することができない番組の枠組み内に、「この番組は表示することができません」など、解像度を変換しても視聴することができない番組であることを表すメッセージを表示する方法もある。
【００６２】
このような構成によって、番組表表示装置１０は、ユーザーが使用するテレビでは視聴することができない番組をユーザーに報知する。
【００６３】
次に、番組表生成部１５１による電子番組表ｉ３の生成処理について、さらに詳細に説明する。なお、以下の説明においては、電子番組表ｉ３を表示する際の条件、つまり、ユーザーが使用するテレビの解像度の情報、およびセットトップボックスが変換することができる映像データの解像度の情報がすでに番組表表示装置１０に入力（設定）されているものとして説明する。そして、以下の説明においては、映像コンテンツに対する変換を許可するか許可しないかを表す変換可否の情報（例えば、変換を許可するか否かを表すフラグ）が、この番組に対応する番組配列情報ｉ２のＭＨ−ＥＩＴに含まれているものとして説明する。また、以下の説明においては、変換が許可されている映像コンテンツに対して行うセットトップボックスによる映像コンテンツの変換処理が、高解像度の映像データを低解像度の映像データに変換するダウンコンバートの処理である場合において、解像度の変換が許可されているか否かをユーザーが識別することができるようにしたアイコンを電子番組表ｉ３に追加する処理について説明する。
【００６４】
図８は、本第１の実施形態の番組表提供装置（番組表表示装置１０）において電子番組表ｉ３を生成する処理の処理手順を示したフローチャートである。なお、番組表生成部１５１による電子番組表ｉ３の生成処理は、例えば、ユーザーが操作入力部１２を操作して電子番組表を表示させる指示を番組表表示装置１０に出し、操作入力部１２が、ユーザーによる電子番組表を表示させる指示を受け付けたことを表す情報が制御部１５に出力されてから開始される。
【００６５】
電子番組表を表示させる指示を受け付けたことを表す情報が制御部１５に入力されると、まず、制御部１５は、通信部１１を起動して、インターネット４０を介してサーバ装置３０から電子番組表情報（番組配列情報ｉ２）を取得し、記憶部１４に一旦記憶する。その後、制御部１５は、記憶部１４に記憶されている番組配列情報ｉ２と、ユーザーが使用するテレビの解像度の情報、およびセットトップボックスが変換することができる映像データの解像度の情報とを読み出す（ステップＳ１０１）。
【００６６】
続いて、番組表生成部１５１は、記憶部１４から読み出した番組配列情報ｉ２に含まれるＭＨ−ＥＩＴから番組識別情報と放送日時情報とを取得する。そして、番組表生成部１５１は、取得した放送日時情報に基づいて、電子番組表ｉ３の枠組みを構成する（ステップＳ１０２）。このとき、番組表生成部１５１は、取得した番組識別情報のデータ、すなわち、電子番組表ｉ３の対応する枠組みに表示する番組名や番組の説明などの情報を配置する。
【００６７】
続いて、番組表生成部１５１内の番組表比較部１５１１は、電子番組表ｉ３に構成したそれぞれの枠組みの番組について、映像データの解像度と変換可否との判定処理（以下、「映像データ判定処理」という）を行う（ステップＳ１０３）。映像データ判定処理では、まず、構成した枠組みに対応する番組配列情報ｉ２に含まれるＭＨ−ＥＩＴから、映像コンポーネント記述子内の映像信号解像度の値を取得する。そして、取得した映像信号解像度の値が、ユーザーが使用するテレビで視聴することができる、すなわち、ユーザーが使用するテレビに備えた表示パネルに表示することができる解像度の値であるか否かを判定する（ステップＳ１０４）。なお、図６に示したように、映像信号解像度の値は、その値が大きくなるほど映像信号の垂直方向の解像度が高くなる。従って、ステップＳ１０４において行う番組が視聴することができるか否かの判定では、取得した映像信号解像度の値と、記憶部１４から読み出したユーザーが使用するテレビの解像度の情報とを比較する。そして、映像信号解像度の値が、ユーザーが使用するテレビに備えた表示パネルに表示することができる解像度の値以下の値である場合に現在判定を行っている枠組みの映像データの画像、すなわち、この枠組みの番組を視聴することができると判定し、ユーザーが使用するテレビに備えた表示パネルに表示することができる解像度の値よりも大きい値である場合にこの枠組みの番組を視聴することができないと判定する。
【００６８】
なお、例えば、図６に示したそれぞれの解像度の情報に、テレビが表示することができるか否かの判定結果を表すフラグが付加されている場合には、番組表比較部１５１１が、解像度の情報に付加されているフラグに基づいて、ステップＳ１０４における番組が視聴することができるか否かの判定を行う構成であってもよい。
【００６９】
ステップＳ１０４の判定によって、現在判定を行っている枠組みの番組が、ユーザーが使用するテレビで視聴することができる解像度の番組であると判定した場合（ステップＳ１０４の“ＹＥＳ”）には、番組表比較部１５１１は、電子番組表ｉ３に構成した次の枠組みの番組について、映像データ判定処理を繰り返す。
【００７０】
一方、ステップＳ１０４の判定によって、現在処理を行っている枠組みの番組が、ユーザーが使用するテレビで視聴することができる解像度の番組でないと判定した場合（ステップＳ１０４の“ＮＯ”）には、番組表比較部１５１１は、現在判定を行っている枠組みの番組が、ユーザーが使用するテレビで視聴することができない解像度の番組であることを表す判定結果を番組表更新部１５１２に出力する。番組表更新部１５１２は、番組表比較部１５１１から、ユーザーが使用するテレビで視聴することができない解像度の番組であることを表す判定結果が入力されると、現在判定を行っている枠組みの表示を更新（変更）する（ステップＳ１０５）。
【００７１】
続いて、番組表比較部１５１１は、ユーザーが使用するテレビで視聴することができない番組であると判定した現在判定を行っている枠組みの番組が、変換が許可されている番組であるか否か、すなわち、ダウンコンバートすることができるか否かを判定する（ステップＳ１０６）。なお、ステップＳ１０６において行う変換が許可されている番組であるか否かの判定は、番組表比較部１５１１が、現在判定を行っている枠組みの番組（映像コンテンツ）に対応する番組配列情報ｉ２に含まれるＭＨ−ＥＩＴから変換可否の情報を取得し、取得した変換可否の情報に基づいて判定する。
【００７２】
ステップＳ１０６の判定によって、現在判定を行っている枠組みの番組がダウンコンバートすることができる番組であると判定した場合（ステップＳ１０６の“ＹＥＳ”）には、番組表比較部１５１１は、電子番組表ｉ３に構成した次の枠組みの番組について、映像データ判定処理を繰り返す。
【００７３】
一方、ステップＳ１０６の判定によって、現在処理を行っている枠組みの番組がダウンコンバートすることができる番組でないと判定した場合（ステップＳ１０６の“ＮＯ”）には、番組表比較部１５１１は、現在判定を行っている枠組みの番組が、セットトップボックスによって映像コンテンツに対する変換が許可されていない番組であることを表す判定結果を番組表更新部１５１２に出力する。番組表更新部１５１２は、番組表比較部１５１１から、セットトップボックスによって映像コンテンツに対する変換が許可されていない番組であることを表す判定結果が入力されると、セットトップボックスで解像度を変換して視聴することができない番組であることを表すアイコンを、現在判定を行っている枠組みに追加する（ステップＳ１０７）。そして、番組表比較部１５１１は、電子番組表ｉ３に構成した次の枠組みの番組について、映像データ判定処理を繰り返す。
【００７４】
このように、番組表生成部１５１内の番組表比較部１５１１は、映像データ判定処理（ステップＳ１０３）を繰り返し、電子番組表ｉ３に枠組みを構成した全ての番組に対して映像データの解像度の判定を行う。そして、番組表生成部１５１内の番組表更新部１５１２は、映像データの解像度の判定の結果、ユーザーが使用するテレビで視聴することができない解像度の番組である場合に、この番組の枠組みの表示を更新（変更）し、さらに、セットトップボックスによって映像コンテンツに対する変換が許可されていない番組である場合に、この番組の枠組みにアイコンを追加する。そして、全ての番組に対して映像データの解像度と変換可否の判定が終了すると、番組表生成部１５１は、生成した電子番組表ｉ３を表示部１３に出力する（ステップＳ１０８）。これにより、表示部１３が、番組表生成部１５１から出力された電子番組表ｉ３を表示してユーザーに提示し、電子番組表ｉ３の生成処理を終了する。
【００７５】
このような処理手順によって番組表表示装置１０は、ユーザーが使用するテレビで視聴することができる番組と視聴することができない番組とで、それぞれの枠組みの表示を変更した電子番組表ｉ３を生成し、さらに、セットトップボックスによる解像度の変換によって視聴することができる番組と視聴することができない番組とで、それぞれの枠組みの表示を変更した電子番組表ｉ３を生成してユーザーに提示（報知）する。これにより、ユーザーは、電子番組表ｉ３の表示から、番組を視聴することができるか否かを視覚的に確認することができる。
【００７６】
ここで、番組表生成部１５１が生成して表示部１３に表示する電子番組表ｉ３の一例について説明する。図９は、本第１の実施形態の番組表提供装置（番組表表示装置１０）において生成した電子番組表ｉ３の一例を模式的に示した図である。図９には、番組表表示装置１０が生成した電子番組表ｉ３を、番組表表示装置１０であるパーソナルコンピュータ（ＰＣ）に内蔵された表示部１３（例えば、液晶パネル）に表示している様子を示している。なお、以下の説明においては、ユーザーが使用するテレビが４Ｋサイズの解像度の映像コンテンツ（番組）を視聴することができる機能を持ったテレビであり、このテレビに接続されたセットトップボックスを介しても番組を視聴することができるものとして説明する。図９に示した電子番組表ｉ３の一例では、１つの放送事業者（放送局）が３つのチャンネルでそれぞれの番組を放送している場合を示している。
【００７７】
図９に示したように、電子番組表ｉ３では、各チャンネルの名称が表示部１３に表示された電子番組表ｉ３の上から１段目の行に示され、番組の放送時刻が電子番組表ｉ３の左端の列に示される。そして、電子番組表ｉ３において各番組の放送日時は、上から１段目の行に示されたチャンネルの名称と、左端の列に示された放送時刻とによって定まる枠により表される。なお、放送局などの放送事業者が多数ある場合、図９において１段目に示したチャンネルの上部に、各チャンネルで番組を放送する放送局の名称などを示してもよい。
【００７８】
ユーザーが電子番組表を表示させる指示を番組表表示装置１０に出した場合、番組表表示装置１０に備えた番組表生成部１５１は、上述した電子番組表ｉ３の生成処理を行って、構成したそれぞれの枠組みに番組識別情報を配置した電子番組表ｉ３を生成し、表示部１３に出力する。図９に示した一例では、放送局がそれぞれのチャンネルで４Ｋサイズの解像度の番組を放送する場合と、それぞれのチャンネルで８Ｋサイズの解像度の番組を放送する場合の一例を示している。より具体的には、図９に示した一例では、「７」時〜「９」時の間に、チャンネルＡで４Ｋサイズの番組Ｐ１１（「おはようジャパン」）を、チャンネルＢで４Ｋサイズの番組Ｐ１２（「モーニングニュース」）を、チャンネルＣで４Ｋサイズの番組Ｐ１３（「今日の天気」）を放送する場合の一例を示している。また、図９に示した一例では、「９」時〜「１１」時の間に、チャンネルＡ〜チャンネルＣの全てのチャンネルで８Ｋサイズの番組Ｐ２１（「映画」）を放送する場合の一例を示している。また、図９に示した一例では、「１１」時〜「１２」時の間に、チャンネルＡ〜チャンネルＣの全てのチャンネルで８Ｋサイズの番組Ｐ３１（「スポーツ」）を放送する場合の一例を示している。また、図９に示した一例では、「１２」時〜「１３」時の間に、チャンネルＡで４Ｋサイズの番組Ｐ４１（「こんにちはジャパン」）を、チャンネルＢで８Ｋサイズの番組Ｐ４２（「こんにちはジャパン」）を、チャンネルＣで４Ｋサイズの番組Ｐ４３（「午後の天気」）を放送する場合の一例を示している。
【００７９】
そして、番組表生成部１５１は、番組配列情報ｉ２に含まれるＭＨ−ＥＩＴから、映像コンポーネント記述子内の映像信号解像度の値を取得して、ユーザーが使用するテレビでは視聴することができない番組が配置された枠組みの表示を変更する。図９に示した一例では、ユーザーが使用するテレビが４Ｋサイズの解像度の番組を視聴することができる機能を持っている、つまり、８Ｋサイズの解像度の番組を視聴することができないテレビである。このため、番組表生成部１５１は、図９に示したように、視聴することができない８Ｋサイズの番組Ｐ２１、番組Ｐ３１、および番組Ｐ４２の枠組みと、視聴することができる４Ｋサイズの番組Ｐ１１、番組Ｐ１２、番組Ｐ１３、番組Ｐ４１、および番組Ｐ４３の枠組みとを区別して識別することができるようにした電子番組表ｉ３を生成して出力し、表示部１３に表示させる。図９に示した一例では、８Ｋサイズの番組をグレーダウンした電子番組表ｉ３を生成して表示部１３に表示させる場合を示している。
【００８０】
また、番組表生成部１５１は、番組配列情報ｉ２に含まれるＭＨ−ＥＩＴから、映像コンポーネントの変換可否の情報を取得して、セットトップボックスによる解像度の変換の可否を表すアイコンを追加する。図９に示した一例では、解像度の変換が許可されていない８Ｋサイズの番組Ｐ２１の枠組みに、セットトップボックスで解像度を変換しても視聴することができない番組であることを表すアイコンＭ２１を追加した電子番組表ｉ３を生成して表示部１３に表示させる場合を示している。つまり、図９に示した一例では、グレーダウンした８Ｋサイズの番組Ｐ３１および番組Ｐ４２は、解像度の変換が許可されているため、セットトップボックスで解像度を変換する（例えば、４Ｋサイズに変換する）ことによって視聴することができる番組であることを表している。
【００８１】
図９の一例に示したように、番組表生成部１５１は、ユーザーが使用するテレビの性能や解像度の変換が許可されていないため視聴することができない番組の枠組みの表示（色やアイコン）を変更することによって、電子番組表ｉ３内にユーザーが視聴することができない番組が含まれていることを視覚的に示す（報知する）。これにより、ユーザーは、電子番組表ｉ３を確認することによって、視聴することができない番組を容易に認識することができる。
【００８２】
また、番組表表示装置１０では、例えば、ユーザーによる操作入力部１２の操作に応じて、生成して表示部１３に表示させた電子番組表ｉ３を更新（変更）することもできる。例えば、図９に示した一例では、操作入力部１２の操作によって、領域Ｆ１にテレビの解像度の情報（値）を入力する、または領域Ｆ２を選択することによって表示されるドロップダウンリストからテレビの解像度の値を選択することができるようになっている。ここで、ドロップダウンリストは、例えば、「８Ｋ」、「４Ｋ」、「２Ｋ」などのテレビの解像度の値を選択することができるリストである。なお、例えば、「８Ｋ」、「４Ｋ」、「２Ｋ」などのテレビの解像度の値をタブで選択する方法であってもよい。番組表生成部１５１は、変更されたテレビの解像度に応じて新たな電子番組表ｉ３を生成し、表示部１３の表示を、生成した新たな電子番組表ｉ３に更新する（切り替える）。これにより、ユーザーは、表示部１３に現在表示されている電子番組表ｉ３のそれぞれの番組が、異なる解像度のテレビでも視聴することができるかを容易に認識することができる。
【００８３】
また、番組表表示装置１０では、例えば、ユーザーによる操作入力部１２の操作に応じて、電子番組表ｉ３を表示する際の条件を変更することもできる。例えば、図９に示した一例では、電子番組表ｉ３を表示する際の条件（ユーザーが使用するテレビの解像度の情報、およびセットトップボックスが変換することができる映像データの解像度の情報など）がすでに番組表表示装置１０に入力（設定）されていることを想定し、領域Ｆ３に「みんなの番組表ページ」という題目を表示しているが、操作入力部１２を操作して領域Ｆ３を選択することによって、テレビやセットトップボックスの型番や製造者（メーカー）名を入力するための表示条件入力画面を表示させることもできる。番組表生成部１５１は、表示条件入力画面に入力された電子番組表ｉ３を表示する際の条件に応じて新たな電子番組表ｉ３を生成し、表示部１３の表示を、生成した新たな電子番組表ｉ３に更新する（切り替える）。これにより、ユーザーは、表示部１３に現在表示されている電子番組表ｉ３のそれぞれの番組が、異なるテレビやセットトップボックスの構成でも視聴することができるかを容易に認識することができる。この場合、セットトップボックスの情報を、図９に示した領域Ｆ１や領域Ｆ２のように、操作入力部１２の操作によって入力、または選択するようにしてもよい。
【００８４】
また、上述したように、番組Ｐ３１および番組Ｐ４２は、解像度の変換が許可されているため、セットトップボックスで８Ｋサイズを４Ｋサイズに変換することによって視聴することができるようになった番組である。このため、番組表生成部１５１は、セットトップボックスで解像度を変換しても視聴することができない番組、つまり、解像度の変換が許可されていない番組Ｐ２１とは異なる方法（例えば、枠組みの色を異なる色にするなど）で、解像度を変換して視聴することができる番組Ｐ３１および番組Ｐ４２の枠組みと、解像度を変換しても視聴することができない番組Ｐ２１の枠組みとを区別して識別することができるようにした電子番組表ｉ３を生成して表示部１３に表示させてもよい。また、解像度を変換することによって視聴することができるようになった番組であることを表すアイコンなどの印や表示（例えば、「８Ｋ→４Ｋ」など）で、番組Ｐ３１および番組Ｐ４２の枠組みと、番組Ｐ２１の枠組みとを区別して識別することができるようにしてもよい。
【００８５】
これらの場合の電子番組表ｉ３の一例について説明する。図１０は、本第１の実施形態の番組表提供装置（番組表表示装置１０）において生成した電子番組表ｉ３の別の一例を模式的に示した図である。図１０には、図９に示した電子番組表ｉ３に、操作入力部１２の操作によってセットトップボックスの情報を設定、変更する領域と、セットトップボックスによる解像度の変換によって視聴することができるようになった番組を表すアイコンと、が追加された場合の一例である。
【００８６】
図１０に示した一例では、例えば、ユーザーが、操作入力部１２の操作によって領域Ｆ４にセットトップボックスの解像度の情報（値）を入力する、または領域Ｆ５を選択することによって表示されるドロップダウンリストからセットトップボックスの解像度の情報（値）を選択することによって、セットトップボックスの情報を設定したり変更したりすることができる。ここで、ドロップダウンリストは、例えば、「ＳＴＢなし」、「８ＫＳＴＢ」、「４ＫＳＴＢ」などのセットトップボックスの有無や解像度の値を選択することができるリストである。
【００８７】
また、図１０に示した一例では、解像度の変換が許可されているため、セットトップボックスで解像度を変換することによって視聴することができる番組Ｐ３１および番組Ｐ４２に、セットトップボックスによって行う解像度の変換方法を表すアイコンＭ３１およびアイコンＭ４２を追加した場合を示している。図１０に示したアイコンＭ３１およびアイコンＭ４２は、セットトップボックスで解像度を４Ｋサイズに変換することによって視聴することができる番組であることを表している。これにより、ユーザーは、表示部１３に現在表示されている電子番組表ｉ３のそれぞれの番組を、セットトップボックスを介せば視聴することができるということを容易に認識することができる。
【００８８】
なお、図９および図１０に示した一例では、チャンネルＡとチャンネルＢとにおいて「１２」時〜「１３」時の間に放送される番組Ｐ４１と番組Ｐ４２とは同じ内容の番組であるが、映像データの解像度が異なるため、枠組みの表示を異ならせている。しかし、番組Ｐ４１と番組Ｐ４２との映像データの解像度が共に同じ解像度（例えば、４Ｋサイズ）である場合には、枠組みの表示を同じにすることもできる。この場合、番組Ｐ４１と番組Ｐ４２とを、１つの枠組みで表してもよい。
【００８９】
なお、上述したように、視聴することができない番組をユーザーに示す（報知する）方法には、視聴することができない番組の枠組みをグレーダウンする方法以外にも、枠組みの色を変更する方法、枠組み内に番組識別情報のデータを配置（表示）しない方法、視聴することができない番組であることを表すメッセージを表示する方法など、様々な方法がある。しかし、これらの方法の場合でも、図９および図１０に示した一例（番組の枠組みをグレーダウンする方法）と同様に考えることができる。従って、番組の枠組みをグレーダウンする方法以外の方法によって視聴することができない番組をユーザーに示す（報知する）一例に関しての説明は省略する。
【００９０】
なお、図１０に示した一例でも、解像度の変換が許可されていない８Ｋサイズの番組Ｐ２１の枠組みに、セットトップボックスで解像度を変換することができない番組であることを表すアイコンＭ２１を追加しているが、セットトップボックスで解像度を変換することができることを表すアイコンＭ３１やアイコンＭ４２が電子番組表ｉ３内に表示されているため、アイコンＭ２１は表示させなくてもよい。
【００９１】
このように、番組表提供装置である番組表表示装置１０では、インターネット４０を介して取得した電子番組表情報に含まれる映像データの解像度を表す情報に基づいて、ユーザーが使用するテレビの解像度の要因で視聴することができない番組を、ユーザーに報知することができる。より具体的には、図９に示した一例では、電子番組表情報に含まれる映像信号解像度の値に基づいて、視聴することができる番組Ｐ１１、番組Ｐ１２、番組Ｐ１３、番組Ｐ４１、および番組Ｐ４３）と、視聴することができない番組Ｐ２１、番組Ｐ３１、および番組Ｐ４２と、を区別して表した電子番組表ｉ３を生成して表示部１３に表示することができる。
【００９２】
また、番組表表示装置１０では、インターネット４０を介して取得した電子番組表情報に含まれる映像コンテンツに対する変換可否の情報に基づいて、番組の制作者や映像コンテンツの著作権者の意向によって視聴することができない番組を、ユーザーに報知することができる。より具体的には、図１０に示した一例では、電子番組表情報に含まれる映像コンテンツに対する変換可否の情報に基づいて、解像度の変換を行わずに視聴することができる番組Ｐ１１、番組Ｐ１２、番組Ｐ１３、番組Ｐ４１、および番組Ｐ４３と、解像度の変換が許可されていないため視聴することができない番組Ｐ２１と、解像度の変換を行って視聴することができる番組Ｐ３１および番組Ｐ４２と、を区別して表した電子番組表を生成して表示部に表示することができる。
【００９３】
これにより、ユーザーは、表示部１３に表示された電子番組表ｉ３を確認することによって、視聴することができない番組を容易に確認（認識）することができる。
【００９４】
なお、本第１の実施形態では、番組表提供装置である番組表表示装置１０が、電子番組表情報（番組配列情報ｉ２）をサーバ装置３０から取得して電子番組表ｉ３を生成する場合の構成について説明した。しかし、例えば、番組表表示装置１０に備えた番組表生成部１５１の機能、すなわち、番組表提供装置における電子番組表ｉ３の生成機能を、サーバ装置３０内に備える構成であってもよい。この場合、図１に示したサーバ装置３０が番組表提供装置となり、サーバ装置３０で電子番組表ｉ３を生成し、図１に示した番組表表示装置１０は、インターネット４０を介して取得した電子番組表ｉ３を、ウェブブラウザで表示する構成が考えられる。
【００９５】
＜第２の実施形態＞
次に、サーバ装置に番組表提供装置における電子番組表ｉ３の生成機能を備える構成の番組表表示システムについて説明する。図１１は、本発明の第２の実施形態における番組表提供装置を含む番組表表示システムの概略構成を示したブロック図である。番組表表示システム１ａは、番組表表示装置１０ａと、送信装置２０と、サーバ装置３０ａとを含んで構成されている。番組表表示システム１ａでは、送信装置２０に接続されたサーバ装置３０ａと、番組表表示装置１０ａとがインターネット４０を介して接続されている。
【００９６】
なお、図１１に示した第２の実施形態の番組表表示システム１ａの構成要素には、図１に示した第１の実施形態の番組表表示システム１の構成要素と同様の構成要素も含まれている。従って、番組表表示システム１ａの構成要素において、番組表表示システム１の構成要素と同様の構成要素には、同一の符号を付与し、それぞれの構成要素に関する詳細な説明は省略する。また、番組表表示システム１ａにおいても、番組表表示装置１０ａ、送信装置２０、およびサーバ装置３０ａの台数は、一般的にそれぞれ複数であるが、以下の説明においても、説明を容易にするため、番組表表示装置１０ａ、送信装置２０、およびサーバ装置３０ａの台数が、それぞれ１台である番組表表示システム１ａの場合について説明する。また、以下の説明においても、番組表表示装置１０ａが、不図示のテレビによって番組を視聴する視聴者であるユーザーが使用するパーソナルコンピュータ（ＰＣ）であるものとして説明する。
【００９７】
サーバ装置３０ａは、送信装置２０から出力された番組配列情報ｉ２に基づいて、電子番組表ｉ３を生成し、生成した電子番組表ｉ３を、インターネット４０を介して番組表表示装置１０ａに提供する番組表提供装置である。サーバ装置３０ａは、番組表表示装置１０ａからの電子番組表ｉ３の要求に応じて、生成した電子番組表ｉ３を、インターネット４０を介して番組表表示装置１０ａに送信する。サーバ装置３０ａにおいて電子番組表ｉ３を生成する構成は、図７に示した番組表表示装置１０に備えた番組表生成部１５１と同様である。また、サーバ装置３０ａでは、送信装置２０から出力された番組配列情報ｉ２が電子番組表情報として入力される情報入力部が、図７に示した番組表表示装置１０に備えた通信部１１に代わる構成要素として動作する。また、サーバ装置３０ａにおいて電子番組表ｉ３を生成する処理は、図８に示した番組表表示装置１０において電子番組表ｉ３を生成する処理と同様である。従って、サーバ装置３０ａにおいて電子番組表ｉ３を生成する構成および処理に関する詳細な説明は省略する。
【００９８】
番組表表示装置１０ａは、インターネット４０を介してサーバ装置３０ａから送信されてきた電子番組表ｉ３を表示部１３に表示させることによって、映像コンテンツの視聴者である番組表表示装置１０ａのユーザーに提示する。
【００９９】
例えば、サーバ装置３０ａが、ハイパーテキスト・マークアップ・ランゲージ（ＨｙｐｅｒＴｅｘｔ  Ｍａｒｋｕｐ  Ｌａｎｇｕａｇｅ  ：ＨＴＭＬ：エイチティーエムエル）を用いて電子番組表ｉ３を生成した場合、番組表表示装置１０ａは、番組表表示装置１０ａ上で動作するウェブブラウザ（Ｗｅｂブラウザ）ｂ１でサーバ装置３０ａにアクセスすることによって、サーバ装置３０ａから電子番組表ｉ３を取得する。そして、番組表表示装置１０ａは、取得したＨＴＭＬの電子番組表ｉ３を表示部１３に表示されているウェブブラウザｂ１上に描画することによって、電子番組表ｉ３をユーザーに提示する。なお、電子番組表ｉ３の表示は、図９および図１０に示した電子番組表ｉ３の表示と同様であるため、電子番組表ｉ３の表示に関する詳細な説明は省略する。
【０１００】
なお、ユーザーがテレビの解像度の情報やセットトップボックスの情報を設定したり変更したりする場合、例えば、ウェブブラウザｂ１上に描画されているドロップダウンリストから入力することができる。この場合、番組表表示装置１０ａは、テレビの解像度の情報やセットトップボックスの情報が設定や変更されると、この情報を、インターネット４０を介してサーバ装置３０ａに送信（伝達）し、設定や変更がされたテレビの解像度の情報やセットトップボックスの情報に応じた電子番組表ｉ３をサーバ装置３０ａから再度取得してユーザーに提示する。番組表表示装置１０ａがテレビの解像度の情報やセットトップボックスの情報をサーバ装置３０ａに伝達する方法は、例えば、ウェブサーバ、つまり、サーバ装置３０ａにアクセスする際のアドレスに付加する方法などがある。より具体的には、例えば、ウェブサーバアドレスが、「ｈｔｔｐ：／／ｗｗｗ．ｗｅｂｓｅｒｖｅｒ．ｅｐｇ．ｘｘｘ．ｃｏ．ｊｐ／ｔｏｄａｙｓｅｐｇ」である場合、そして、変更されたテレビの解像度が４Ｋサイズである場合、番組表表示装置１０ａは、例えば、「ｈｔｔｐ：／／ｗｗｗ．ｗｅｂｓｅｒｖｅｒ．ｅｐｇ．ｘｘｘ．ｃｏ．ｊｐ／ｔｏｄａｙｓｅｐｇ／？ｒｅｓｏ＝４Ｋ」のアドレスにアクセスすることによって、４Ｋサイズの解像度の映像コンテンツ（番組）を視聴することができる機能を持ったテレビに対応する電子番組表ｉ３を取得する方法などがある。
【０１０１】
このように、番組表提供装置であるサーバ装置３０ａと番組表表示装置１０ａとを組み合わせた構成によって電子番組表ｉ３を生成して表示する番組表表示システム１ａでも、図１に示した第１の実施形態の番組表表示システム１と同様に、ユーザーが使用するテレビの解像度の要因や、番組の制作者や映像コンテンツの著作権者の意向によって視聴することができない番組を、ユーザーに報知することができる。これにより、ユーザーは、番組表表示システム１ａの構成でも、表示部１３に表示された電子番組表ｉ３を確認することによって、視聴することができない番組を容易に確認（認識）することができる。
【０１０２】
なお、本第２の実施形態では、番組表提供装置であるサーバ装置３０ａが、送信装置２０から出力された番組配列情報ｉ２に基づいて電子番組表ｉ３を生成する場合の構成について説明した。しかし、例えば、サーバ装置３０ａに、送信装置２０から送信された放送電波を受信する受信部を備え、受信部が受信した放送電波に含まれる番組配列情報ｉ２に基づいて電子番組表ｉ３を生成する構成であってもよい。この場合でも、番組表表示装置１０ａは、インターネット４０を介して番組表提供装置であるサーバ装置３０ａから取得した電子番組表ｉ３を、ウェブブラウザｂ１上に描画することができる。
【０１０３】
＜第３の実施形態＞
次に、番組表提供装置であるサーバ装置に放送電波を受信する受信部を備えた構成において電子番組表ｉ３を生成する場合の番組表表示システムについて説明する。図１２は、本発明の第３の実施形態における番組表提供装置を含む番組表表示システムの概略構成を示したブロック図である。番組表表示システム１ｂは、番組表表示装置１０ａと、送信装置２０と、受信部５０と、サーバ装置３０ａとを含んで構成されている。番組表表示システム１ｂでは、受信部５０が接続されたサーバ装置３０ａと、番組表表示装置１０ａとがインターネット４０を介して接続されている。
【０１０４】
なお、図１１に示した第３の実施形態の番組表表示システム１ｂの構成要素には、図１１に示した第２の実施形態の番組表表示システム１ａの構成要素と同様の構成要素も含まれている。従って、番組表表示システム１ｂの構成要素において、番組表表示システム１ａの構成要素と同様の構成要素には、同一の符号を付与し、それぞれの構成要素に関する詳細な説明は省略する。また、番組表表示システム１ｂにおいては、番組表表示装置１０ａ、送信装置２０、および受信部５０とサーバ装置３０ａとを合わせた構成の台数は、一般的にそれぞれ複数であるが、以下の説明においても、説明を容易にするため、番組表表示装置１０ａ、送信装置２０、および受信部５０とサーバ装置３０ａとを合わせた構成の台数が、それぞれ１台である番組表表示システム１ｂの場合について説明する。
【０１０５】
受信部５０は、送信装置２０から放送電波として伝送される種々の情報を受信するデジタル放送受信装置である。なお、放送電波は、放送衛星を介して伝送されるものであってもよい。受信部５０は、受信した放送電波に含まれる番組配列情報ｉ２を、接続されているサーバ装置３０ａに出力する。
【０１０６】
サーバ装置３０ａは、受信部５０から出力された番組配列情報ｉ２に基づいて、電子番組表ｉ３を生成し、生成した電子番組表ｉ３を、インターネット４０を介して番組表表示装置１０ａに提供する番組表提供装置である。なお、受信部５０は、サーバ装置３０ａの構成要素として、サーバ装置３０ａ内に構成されていてもよい。
【０１０７】
このように、接続された受信部５０が受信した放送電波に含まれる番組配列情報ｉ２に基づいて電子番組表ｉ３を生成する番組表提供装置であるサーバ装置３０ａを備えた構成の番組表表示システム１ｂでも、図１１に示した第２の実施形態の番組表表示システム１ａと同様に、ユーザーが使用するテレビの解像度の要因や、番組の制作者や映像コンテンツの著作権者の意向によって視聴することができない番組を、ユーザーに報知することができる。これにより、ユーザーは、番組表表示システム１ｂの構成でも、表示部１３に表示された電子番組表ｉ３を確認することによって、視聴することができない番組を容易に確認（認識）することができる。
【０１０８】
なお、第１〜本第３の実施形態では、電子番組表情報や電子番組表ｉ３を取得する、番組を受信する放送電波と異なる経路として、その経路がインターネット４０である場合について説明した。しかし、電子番組表情報や電子番組表ｉ３を取得するための経路は、本発明を実施するための形態において示したインターネット４０に限定されるものではない。例えば、サーバ装置３０ａのような番組表提供装置を放送局などの放送事業者が備えており、この放送事業者が生成した電子番組表ｉ３を、データ放送など、デジタル放送の番組（映像コンテンツ）とは別に送信する構成が考えられる。この場合のデータ放送は、放送電波と異なる経路であったり、放送電波に多重化されていたり、様々な経路で送信されることが考えられる。このとき、電子番組表ｉ３は、例えば、ブロードキャスト・マークアップ・ランゲージ（Ｂｒｏａｄｃａｓｔ  Ｍａｒｋｕｐ  Ｌａｎｇｕａｇｅ：ＢＭＬ：ビーエムエル）を用いて生成される。このＢＭＬで生成した電子番組表ｉ３は、例えば、ユーザーが映像コンテンツ（番組）を視聴するために使用しているテレビで実行されるＢＬＭブラウザ上に、データ放送で受信した電子番組表ｉ３を表示させることができる。このように、インターネット４０以外で電子番組表情報や電子番組表ｉ３を取得する場合であっても、ユーザーが使用するテレビの解像度の要因や、番組の制作者や映像コンテンツの著作権者の意向によって視聴することができない番組を、ユーザーに報知することができる。なお、放送事業者が生成する電子番組表ｉ３は、ＢＬＭで生成したものでなくてもよく、放送事業者に備えた番組表提供装置であるサーバ装置３０ａに接続された前段または後段の装置に適した形式の言語で生成したものであればよい。
【０１０９】
なお、第２の実施形態および本第３の実施形態では、番組表提供装置であるサーバ装置３０ａが、番組表表示システム１ａに構成された１つの装置である場合について説明した。しかし、サーバ装置３０ａは、それぞれの機能を備えた複数のサーバ装置で構成されている場合もある。図１３は、本発明の第３の実施形態の番組表表示システム１ｂに備えた番組表提供装置（サーバ装置３０ａ）の概略構成を示したブロック図である。図１３には、番組表提供装置であるサーバ装置３０ａが、４台のサーバ装置で構成されている場合の一例を示している。図１３に示したサーバ装置３０ａは、サーバ装置３０１ａと、サーバ装置３０２ａと、サーバ装置３０３ａと、サーバ装置３０４ａとを含んで構成されている。
【０１１０】
サーバ装置３０１ａは、電子番組表ｉ３の生成機能を備えた番組表提供装置である。サーバ装置３０１ａは、生成した電子番組表ｉ３をサーバ装置３０２ａに出力する。サーバ装置３０１ａの構成は、図１２に示したサーバ装置３０ａと同様の構成である。ただし、サーバ装置３０１ａが生成する電子番組表ｉ３は、ＨＴＭＬで生成したものでなくてもよく、サーバ装置３０１ａに接続された前段または後段の装置に適した形式の言語で生成したものであればよい。また、サーバ装置３０１ａが生成する電子番組表ｉ３は、ユーザーによる解像度の変更に応じて新たな電子番組表ｉ３を生成する形式ではなく、例えば、「８Ｋ用」、「４Ｋ用」、「２Ｋ用」など、ユーザーが選択することができる全ての解像度の電子番組表ｉ３を予め生成したものであってもよい。なお、サーバ装置３０１ａにおいて電子番組表ｉ３を生成する構成および処理に関する詳細な説明は省略する。
【０１１１】
サーバ装置３０２ａは、サーバ装置３０１ａから出力された電子番組表ｉ３を含むホームページを生成するための、ホームページ生成用のサーバ装置である。サーバ装置３０２ａは、サーバ装置３０１ａから出力された電子番組表ｉ３をホームページの所定の位置に配置し、さらに、ホームページ内の情報に対するリンク先や表示位置を調整し、ユーザーに提示する最終的なデータを生成する。サーバ装置３０２ａは、生成したホームページのデータを、サーバ装置３０３ａに出力する。
【０１１２】
サーバ装置３０３ａは、サーバ装置３０２ａから出力されたユーザーに提示する最終的なホームページのデータなどを記憶し、接続されているサーバ装置３０４ａからのデータ配信の要求に応じて、記憶しているデータを出力（分配）する配信用の大元（マスター）のサーバ装置である。
【０１１３】
サーバ装置３０４ａは、インターネット４０を介してウェブブラウザから送信されてきた情報の出力要求に応じて、サーバ装置３０３ａから出力（分配）されたデータを、ＨＴＭＬ形式で、インターネット４０を介して送信するサーバ装置である。サーバ装置３０４ａは、番組表表示装置１０ａ上で動作するウェブブラウザｂ１から送信されてきた電子番組表ｉ３の出力要求に応じて、サーバ装置３０３ａから出力（分配）された、電子番組表ｉ３を含む最終的なホームページのデータを、ＨＴＭＬ形式で、インターネット４０を介して番組表表示装置１０ａに送信する。
【０１１４】
サーバ装置３０ａが、図１３に示したように構成されている場合でも、図１１に示した第２の実施形態の番組表表示システム１ａや、図１２に示した第３の実施形態の番組表表示システム１ｂと同様に、ユーザーが使用するテレビの解像度の要因や、番組の制作者や映像コンテンツの著作権者の意向によって視聴することができない番組を、ユーザーに報知することができる。これにより、ユーザーは、視聴することができない番組を容易に確認（認識）することができる。なお、図１３に示したようなサーバ装置３０ａの構成は、ユーザーが意識して動作させる構成ではない。
【０１１５】
上記に述べたとおり、本発明を実施するための形態によれば、番組を受信する放送電波と異なる経路（実施形態においては、ネットワーク通信網）を介して取得した電子番組表情報に含まれる映像データの解像度を表す情報に基づいて、ユーザーが使用するテレビの解像度の要因で視聴することができない番組を、ユーザーに報知する。より具体的には、電子番組表情報に含まれる映像信号解像度の値に基づいて、視聴することができる番組と視聴することができない番組とを区別して表した電子番組表を生成して表示部に表示する。また、本発明を実施するための形態によれば、番組を受信する放送電波と異なる経路を介して取得した電子番組表情報に含まれる映像コンテンツに対する変換可否の情報に基づいて、番組の制作者や映像コンテンツの著作権者の意向によって視聴することができない番組を、ユーザーに報知する。より具体的には、電子番組表情報に含まれる映像コンテンツに対する変換可否の情報に基づいて、解像度の変換が許可されていないため視聴することができない番組と、解像度の変換を行わずに、または解像度の変換を行って視聴することができる番組とを区別して表した電子番組表を生成して表示部に表示する。これにより、ユーザーは、表示部に表示された電子番組表を確認することによって、視聴することができない番組を容易に確認（認識）することができる。
【０１１６】
なお、本発明を実施するための形態では、番組表生成部１５１が電子番組表ｉ３の枠組みを構成した後に、それぞれの枠組みの番組について、映像データの解像度を判定し、さらに、映像コンテンツに対する変換可否を判定する映像データ判定処理を行う場合について説明した。しかし、番組表生成部１５１において行う映像データ判定処理は、本発明を実施するための形態において示した情報に限定されるものではない。例えば、番組表生成部１５１が枠組みを構成するときに映像データ判定処理を行って、電子番組表ｉ３の対応する枠組みに番組名や番組の説明などの情報を配置する際には、すでに映像信号解像度の値に基づいた判定と、解像度の変換が許可されているか否かの判定とを行って、視聴することができる番組と視聴することができない番組とが区別されている状態としてもよい。
【０１１７】
また、本発明を実施するための形態では、映像データ判定処理において、映像データの解像度の判定（図８に示したステップＳ１０４）と、映像コンテンツに対する変換可否の判定（図８に示したステップＳ１０６）とを行う場合について説明した。しかし、例えば、ユーザーが映像コンテンツ（番組）を視聴するために使用するシステムにセットトップボックスが含まれていない場合もある。この場合には、映像データ判定処理において、映像コンテンツに対する変換可否の判定と、この判定結果に応じて行う、解像度を変換して視聴することができない番組であることを表すアイコンの追加の処理（図８に示したステップＳ１０７）とを行わない処理手順にしてもよい。
【０１１８】
また、本発明を実施するための形態では、電子番組表ｉ３を表示する際の条件、つまり、ユーザーが使用するテレビの解像度の情報、およびセットトップボックスが変換することができる映像データの解像度の情報を、ユーザーが操作入力部１２を操作して入力する場合について説明した。しかし、電子番組表ｉ３を表示する際の条件を入力する方法は、本発明を実施するための形態において示した情報に限定されるものではない。例えば、ユーザーによって入力されたテレビやセットトップボックスの型番や製造者（メーカー）の情報に基づいて、番組表表示装置１０が、テレビやセットトップボックスの製造者（メーカー）に設置されたサーバ装置との通信によって、ユーザーが使用するテレビの解像度の情報や、セットトップボックスが変換することができる映像データの解像度の情報を取得する構成にしてもよい。
【０１１９】
なお、本発明を実施するための形態では、電子番組表を表示させる指示が番組表表示装置１０に出されたときに、電子番組表の生成処理を開始する場合について説明した。しかし、電子番組表を生成するタイミング、つまり、電子番組表の生成処理を開始するタイミングは、本発明を実施するための形態において示したタイミングに限定されるものではない。例えば、番組表生成部１５１が、予め定めた時間間隔や、電子番組表情報が更新されたときに、予め電子番組表を作成（更新）しておくこともできる。この場合、予め生成した電子番組表の画像信号を記憶部１４に記憶しておき、電子番組表を表示させる指示が番組表表示装置１０に出されたときに、番組表生成部１５１が記憶部１４に記憶されている電子番組表の画像信号を読み出して表示部１３に出力することによって、より早く電子番組表をユーザーに提示することができる。なお、予め電子番組表を作成（更新）しておく場合には、例えば、予め定めた電子番組表に含まれる視聴することができない番組を放送する放送局やチャンネルと、番組の放送時刻との情報を、電子番組表の画像信号とは別に記憶部１４に記憶しておくこともできる。
【０１２０】
また、本発明を実施するための形態では、映像コンテンツに対する変換可否の情報が、番組に対応する番組配列情報ｉ２のＭＨ−ＥＩＴに含まれているものとして説明した。この映像コンテンツに対する変換可否の情報は、例えば、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）規格で規定されたコンテント利用記述子（ｉｍａｇｅ＿ｃｏｎｓｔｒａｉｎｔ＿ｔｏｋｅｎ：ｉｃｔ）に記述されるような情報である。しかし、映像コンテンツに対する変換可否の情報は、本発明を実施するための形態において示したような形式で設定される情報に限定されるものではない。
【０１２１】
また、本発明を実施するための形態では、映像コンテンツに対する変換が、高解像度の映像データを低解像度に変換するダウンコンバートである場合について説明した。しかし、映像コンテンツに対する変換は、本発明を実施するための形態において示した解像度のダウンコンバートに限定されるものではない。例えば、映像データのフレームレート、色範囲（色域）、分割など、映像データに対する変換であっても同様に、本発明の考え方を適用することができる。また、映像コンテンツに対する変換は、本発明を実施するための形態において示した映像データに対する変換に限定されるものではなく、例えば、音声データに対する変換であっても同様に、本発明の考え方を適用することができる。さらに、映像コンテンツに対する変換は、本発明を実施するための形態において示したダウンコンバートに限定されるものではなく、例えば、アップコンバートであっても同様に、本発明の考え方を適用することができる。
【０１２２】
なお、本発明を実施するための形態では、番組表表示システム１を構成する送信装置２０におけるデジタル放送のメディアトランスポート方式としてＭＭＴ方式が採用されている場合について説明したが、番組表表示装置１０が対応するメディアトランスポート方式は、本発明を実施するための形態において示した方式に限定されるものではない。例えば、送信装置２０におけるデジタル放送のメディアトランスポート方式として、ＭＰＥＧ−２  ＴＳ（Ｍｏｖｉｎｇ  Ｐｉｃｔｕｒｅ  Ｅｘｐｅｒｔｓ  Ｇｒｏｕｐ−２  Ｔｒａｎｓｐｏｒｔ  Ｓｔｒｅａｍ）方式やＲＴＰ（Ｒｅａｌ−ｔｉｍｅ  Ｔｒａｎｓｐｏｒｔ  Ｐｒｏｔｏｃｏｌ）方式が採用されている場合であっても同様に、本発明の考え方を適用することができる。
【０１２３】
なお、本発明を実施するための形態では、電子番組表ｉ３を生成する際の電子番組表情報が番組配列情報ｉ２であるものとして説明したが、電子番組表情報は、本発明を実施するための形態において示した情報に限定されるものではない。例えば、電子番組表情報は、電子番組表ｉ３を生成するための専用の情報、つまり、独自の形式（フォーマット）の情報であってもよい。
【０１２４】
なお、本発明を実施するための形態では、電子番組表ｉ３を、ＨＴＭＬを用いて生成する場合について説明したが、電子番組表ｉ３を生成する際に用いる言語は、本発明を実施するための形態において用いた形式の言語に限定されるものではない。例えば、電子番組表ｉ３を、ＢＭＬ、エクステンシブル・マークアップ・ランゲージ（Ｅｘｔｅｎｓｉｂｌｅ  Ｍａｒｋｕｐ  Ｌａｎｇｕａｇｅ：ＸＭＬ：エックスエムエル）、エクステンシブル・ハイパーテキスト・マークアップ・ランゲージ（Ｅｘｔｅｎｓｉｂｌｅ  ＨｙｐｅｒＴｅｘｔ  Ｍａｒｋｕｐ  Ｌａｎｇｕａｇｅ：ＸＨＴＭＬ：エックスエイチティーエムエル）、ジャヴァスクリプト（ＪａｖａＳｃｒｉｐｔ（登録商標））などの言語を用いて生成してもよい。
【０１２５】
また、本発明を実施するための形態では、電子番組表ｉ３を、ハイパーテキスト・トランスファー・プロトコル（Ｈｙｐｅｒｔｅｘｔ  Ｔｒａｎｓｆｅｒ  Ｐｒｏｔｏｃｏｌ：ＨＴＴＰ）を用いて通信する場合の一例を示したが、電子番組表ｉ３を送信する際に用いる通信プロトコルは、本発明を実施するための形態において用いた通信プロトコルに限定されるものではない。
【０１２６】
また、本発明を実施するための形態では、番組表表示装置１０が、視聴者が使用するパーソナルコンピュータ（ＰＣ）である場合について説明したが、番組表表示装置１０の形態は、本発明を実施するための形態において示した方法に限定されるものではない。例えば、番組表表示装置１０が、いわゆる、スマートフォンやタブレット端末などの携帯通信端末であってもよい。このとき、例えば、携帯通信端末に備えた表示部、記憶部を、番組表表示装置１０に備えた表示部１３、記憶部１４として使用する構成にしてもよい。
【０１２７】
また、本発明を実施するための形態では、番組表表示装置１０が、電子番組表ｉ３を表示部に表示させることによって、番組表表示装置１０のユーザーに映像コンテンツに関する種々の情報を提示する場合について説明したが、電子番組表ｉ３の利用方法は、本発明を実施するための形態において示した方法に限定されるものではない。例えば、番組表表示装置１０は、ユーザーによって表示している電子番組表ｉ３内の特定の番組が選択された場合に、選択された番組の情報を、インターネット４０を介してユーザーが使用する録画機器に送信することによって、選択された番組の録画予約をする機能として利用することもできる。この場合、例えば、視聴することができない番組をユーザーが選択した場合に、「この番組は録画予約することができません」など、視聴することができない番組であるため、録画することもできない番組であることを表すメッセージを表示するようにしてもよい。
【０１２８】
なお、例えば、図７に示した番組表表示装置１０の一部、例えば、制御部１５や、制御部１５に備えた番組表生成部１５１や、番組表生成部１５１内の番組表比較部１５１１や番組表更新部１５１２による処理を実現するためのプログラムを、コンピュータ読み取り可能な記録媒体に記録して、当該記録媒体に記録されたプログラムをコンピュータシステムに読み込ませ、実行することにより、本実施形態の番組表表示装置１０、番組表生成部１５１、番組表比較部１５１１、および番組表更新部１５１２に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１２９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現するもの、いわゆる差分ファイル（差分プログラム）であってもよい。
【０１３０】
また、本実施形態の番組表表示装置１０の一部（例えば、制御部１５や、制御部１５に備えた番組表生成部１５１や、番組表生成部１５１内の番組表比較部１５１１や番組表更新部１５１２）、または全部を、ＬＳＩ（Ｌａｒｇｅ  Ｓｃａｌｅ  Ｉｎｔｅｇｒａｔｉｏｎ）等の集積回路として実現してもよい。また、本実施形態の番組表表示装置１０内の各構成要素は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１３１】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【０１３２】
１，１ａ，１ｂ・・・番組表表示システム
１０・・・番組表表示装置（番組表提供装置）
１０ａ・・・番組表表示装置（表示部）
１１・・・通信部（番組表提供装置，番組情報取得部）
１２・・・操作入力部（番組表提供装置）
１３・・・表示部（番組表提供装置，表示部）
１４・・・記憶部（番組表提供装置）
１５・・・制御部（番組表提供装置，番組情報取得部，番組表生成部）
１５１・・・番組表生成部（番組表提供装置，番組表生成部）
１５１１・・・番組表比較部（番組表提供装置，番組表生成部）
１５１２・・・番組表更新部（番組表提供装置，番組表生成部）
２０・・・送信装置
３０・・・サーバ装置
３０ａ・・・サーバ装置（番組表提供装置，番組情報取得部，番組表生成部）
３０１ａ・・・サーバ装置（番組表提供装置，番組情報取得部，番組表生成部）
３０２ａ，３０３ａ，３０４ａ・・・サーバ装置
４０・・・インターネット（ネットワーク通信網）
５０・・・受信部５０（番組情報取得部）
ｉ１・・・番組データ（映像データ）
ｉ２・・・番組配列情報（番組情報）
ｉ３・・・電子番組表
Ｐ１１，Ｐ１２，Ｐ１３，Ｐ４１，Ｐ４３・・・番組（第２の番組）
Ｐ２１・・・番組（第１の番組，第３の番組）
Ｐ３１，Ｐ４２・・・番組（第１の番組）
Ｍ２１・・・アイコン
Ｍ３１，Ｍ４２・・・アイコン
Ｆ１，Ｆ２，Ｆ３・・・領域
Ｆ４，Ｆ５・・・領域
【図１】
0006425345.tif 000002
【図２】
0006425345.tif 000003
【図３】
0006425345.tif 000004
【図４】
0006425345.tif 000005
【図５】
0006425345.tif 000006
【図６】
0006425345.tif 000007
【図７】
0006425345.tif 000008
【図８】
0006425345.tif 000009
【図９】
0006425345.tif 000010
【図１０】
0006425345.tif 000011
【図１１】
0006425345.tif 000012
【図１２】
0006425345.tif 000013
【図１３】
0006425345.tif 000014